(57)【特許請求の範囲】
【請求項１】
複数の患者の患者識別情報が配列される患者配列軸と、医療スタッフが前記患者に対して実施する複数の作業の項目である作業項目が配列される項目配列軸と、複数の前記患者識別情報と複数の前記作業項目の各々の交差部分である複数のセルとで構成され、前記患者配列軸と前記項目配列軸の一方が行方向、他方が列方向にそれぞれ配されたワークリストであり、
前記セルには、前記作業に関する作業情報が表示される情報表示セルと、前記作業情報が表示されない空欄セルとがあるワークリストの表示画面を生成する画面生成部と、
前記表示画面を介して入力される前記行方向または前記列方向のいずれかの方向の指定を受け付ける受付部と、
前記空欄セルの少なくとも１つを削除して、前記行方向または前記列方向のうち前記受付部で受け付けた方向に前記情報表示セルを詰めることによって、前記情報表示セルを空間的に集約表示する集約表示機能を有する画面表示制御部であって、
さらに、前記ワークリストの表示態様を、前記空欄セルを削除せずに表示する第１表示態様と、前記空欄セルを削除して前記行方向に前記情報表示セルを詰めて前記集約表示する第２表示態様と、前記空欄セルを削除して前記列方向に前記情報表示セルを詰めて前記集約表示する第３表示態様とに切り替える表示態様切替機能を有する画面表示制御部とを備える診療支援装置。
【請求項２】
前記受付部は、前記表示画面を介した同一の入力操作によって、前記第１表示態様と前記第２表示態様と前記第３表示態様の間で前記表示態様を順次切り替える指定を受け付ける請求項１に記載の診療支援装置。
【請求項３】
前記受付部は、前記ワークリストの複数の行のうちの１つの行の指定、前記ワークリストの複数の列のうちの１つの列の指定、または複数の前記セルのうちの１つのセルの指定のうちの少なくともいずれか１つを受け付ける請求項１または２に記載の診療支援装置。
【請求項４】
前記画面表示制御部は、前記受付部で受け付けた前記１つの行の中の前記空欄セルを削除して、前記１つの行の中の前記情報表示セルを前記行方向に詰めて前記集約表示し、かつ前記空欄セルが存在する列については、前記情報表示セルの有無に関わらず列全体を削除することで前記表示態様を前記第２表示態様とする、
および／または、前記受付部で受け付けた前記１つの列の中の前記空欄セルを削除して、前記１つの列の中の前記情報表示セルを前記列方向に詰めて前記集約表示し、かつ前記空欄セルが存在する行については、前記情報表示セルの有無に関わらず行全体を削除することで前記表示態様を前記第３表示態様とする請求項３に記載の診療支援装置。
【請求項５】
前記画面表示制御部は、前記受付部で受け付けた前記１つの行の中の前記空欄セルを削除して、前記１つの行の中の前記情報表示セルを前記行方向に詰めて前記集約表示し、かつ前記受付部で受け付けた前記１つの行以外の他の行については、前記集約表示を行わないことで前記表示態様を前記第２表示態様とする、
および／または、前記受付部で受け付けた前記１つの列の中の前記空欄セルを削除して、前記１つの列の中の前記情報表示セルを前記列方向に詰めて前記集約表示し、かつ前記受付部で受け付けた前記１つの列以外の他の列については、前記集約表示を行わないことで前記表示態様を前記第３表示態様とする請求項３または４に記載の診療支援装置。
【請求項６】
前記画面表示制御部は、前記第２表示態様において前記集約表示する前記１つの行を強調表示する、
および／または、前記第３表示態様において前記集約表示する前記１つの列を強調表示する請求項５に記載の診療支援装置。
【請求項７】
前記画面表示制御部は、前記受付部で受け付けた前記１つのセルが前記情報表示セルであった場合、前記１つのセルを中心にして、前記行方向または前記列方向のうち前記受付部で受け付けた方向に前記情報表示セルを詰めることによって、前記表示態様を前記第２表示態様または前記第３表示態様とする請求項３ないし６のいずれか１項に記載の診療支援装置。
【請求項８】
前記画面表示制御部は、前記ワークリストの複数の行の全てについて前記集約表示を行うことで前記表示態様を前記第２表示態様とする、
および／または、前記ワークリストの複数の列の全てについて前記集約表示を行うことで前記表示態様を前記第３表示態様とする請求項１ないし７のいずれか１項に記載の診療支援装置。
【請求項９】
請求項５または６を引用する請求項８に記載の診療支援装置において、
前記表示態様切替機能は、前記表示態様を、請求項５または６に記載の第２表示態様と、請求項８に記載の第２表示態様のいずれかに切り替える機能を含む、
および／または、前記表示態様を、請求項５または６に記載の第３表示態様と、請求項８に記載の第３表示態様のいずれかに切り替える機能を含む診療支援装置。
【請求項１０】
前記画面表示制御部は、前記第２表示態様または前記第３表示態様において、前記集約表示によって前記第１表示態様における元の位置からずらされた前記情報表示セルに、前記元の位置の場合に該当する前記作業項目または前記患者識別情報を表示する請求項１ないし９のいずれか１項に記載の診療支援装置。
【請求項１１】
前記画面表示制御部は、前記第２表示態様または前記第３表示態様において、前記集約表示した前記情報表示セルが前記表示画面に一度に収まりきらない場合、前記情報表示セルを折り返して表示する請求項１ないし１０のいずれか１項に記載の診療支援装置。
【請求項１２】
前記作業情報は前記作業の進捗状況を含み、
前記進捗状況には、前記作業を実施予定であるが未だ完了していない未完と、前記作業を実施済みの完了とがあり、
前記情報表示セルには、前記進捗状況が前記未完である未完セルと、前記進捗状況が前記完了である完了セルとがある請求項１ないし１１のいずれか１項に記載の診療支援装置。
【請求項１３】
請求項３を引用する請求項１２に記載の診療支援装置において、
前記画面表示制御部は、前記受付部で受け付けた前記１つのセルが前記空欄セルまたは前記未完セルであった場合、前記行方向または前記列方向のうちの前記患者配列軸が配された方向に前記情報表示セルを詰める診療支援装置。
【請求項１４】
前記画面表示制御部は、前記受付部で受け付けた前記１つのセルが前記完了セルであった場合、前記作業の詳細を表示する請求項１３に記載の診療支援装置。
【請求項１５】
前記画面表示制御部は、前記受付部で受け付けた前記１つのセルが前記完了セルであった場合、前記行方向または前記列方向のうちの前記項目配列軸が配された方向に前記情報表示セルを詰める請求項１３または１４に記載の診療支援装置。
【請求項１６】
前記画面表示制御部は、前記空欄セルに加えて前記完了セルも削除し、前記未完セルのみを前記集約表示する請求項１２ないし１５のいずれか１項に記載の診療支援装置。
【請求項１７】
前記画面表示制御部は、前記行方向または前記列方向のうちの前記患者配列軸が配された方向に前記情報表示セルを詰める場合、前記作業の実施順に前記情報表示セルをソートする請求項１ないし１６のいずれか１項に記載の診療支援装置。
【請求項１８】
複数の患者の患者識別情報が配列される患者配列軸と、医療スタッフが前記患者に対して実施する複数の作業の項目である作業項目が配列される項目配列軸と、複数の前記患者識別情報と複数の前記作業項目の各々の交差部分である複数のセルとで構成され、前記患者配列軸と前記項目配列軸の一方が行方向、他方が列方向にそれぞれ配されたワークリストであり、
前記セルには、前記作業に関する作業情報が表示される情報表示セルと、前記作業情報が表示されない空欄セルとがあるワークリストの表示画面を生成する画面生成ステップと、
前記表示画面を介して入力される前記行方向または前記列方向のいずれかの方向の指定を受け付ける受付ステップと、
前記空欄セルの少なくとも１つを削除して、前記行方向または前記列方向のうち前記受付ステップで受け付けた方向に前記情報表示セルを詰めることによって、前記情報表示セルを空間的に集約表示する集約表示機能を実行する画面表示制御ステップであって、
さらに、前記ワークリストの表示態様を、前記空欄セルを削除せずに表示する第１表示態様と、前記空欄セルを削除して前記行方向に前記情報表示セルを詰めて前記集約表示する第２表示態様と、前記空欄セルを削除して前記列方向に前記情報表示セルを詰めて前記集約表示する第３表示態様とに切り替える表示態様切替機能を実行する画面表示制御ステップとを備える診療支援装置の作動方法。
【請求項１９】
複数の患者の患者識別情報が配列される患者配列軸と、医療スタッフが前記患者に対して実施する複数の作業の項目である作業項目が配列される項目配列軸と、複数の前記患者識別情報と複数の前記作業項目の各々の交差部分である複数のセルとで構成され、前記患者配列軸と前記項目配列軸の一方が行方向、他方が列方向にそれぞれ配されたワークリストであり、
前記セルには、前記作業に関する作業情報が表示される情報表示セルと、前記作業情報が表示されない空欄セルとがあるワークリストの表示画面を生成する画面生成機能と、
前記表示画面を介して入力される前記行方向または前記列方向のいずれかの方向の指定を受け付ける受付機能と、
前記空欄セルの少なくとも１つを削除して、前記行方向または前記列方向のうち前記受付機能で受け付けた方向に前記情報表示セルを詰めることによって、前記情報表示セルを空間的に集約表示する集約表示機能を実行する画面表示制御機能であって、
さらに、前記ワークリストの表示態様を、前記空欄セルを削除せずに表示する第１表示態様と、前記空欄セルを削除して前記行方向に前記情報表示セルを詰めて前記集約表示する第２表示態様と、前記空欄セルを削除して前記列方向に前記情報表示セルを詰めて前記集約表示する第３表示態様とに切り替える表示態様切替機能を実行する画面表示制御機能とを、コンピュータに実行させる診療支援装置の作動プログラム。
【請求項２０】
診療支援装置と、前記診療支援装置にネットワークを通じて接続されたクライアント端末とを備える診療支援システムにおいて、
複数の患者の患者識別情報が配列される患者配列軸と、医療スタッフが前記患者に対して実施する複数の作業の項目である作業項目が配列される項目配列軸と、複数の前記患者識別情報と複数の前記作業項目の各々の交差部分である複数のセルとで構成され、前記患者配列軸と前記項目配列軸の一方が行方向、他方が列方向にそれぞれ配されたワークリストであり、
前記セルには、前記作業に関する作業情報が表示される情報表示セルと、前記作業情報が表示されない空欄セルとがあるワークリストの表示画面を生成する画面生成部と、
前記表示画面を介して入力される前記行方向または前記列方向のいずれかの方向の指定を受け付ける受付部と、
前記空欄セルの少なくとも１つを削除して、前記行方向または前記列方向のうち前記受付部で受け付けた方向に前記情報表示セルを詰めることによって、前記情報表示セルを空間的に集約表示する集約表示機能を有する画面表示制御部であって、
さらに、前記ワークリストの表示態様を、前記空欄セルを削除せずに表示する第１表示態様と、前記空欄セルを削除して前記行方向に前記情報表示セルを詰めて前記集約表示する第２表示態様と、前記空欄セルを削除して前記列方向に前記情報表示セルを詰めて前記集約表示する第３表示態様とに切り替える表示態様切替機能を有する画面表示制御部とを備える診療支援システム。
【発明の詳細な説明】
【技術分野】
【０００１】
本発明は、診療支援装置とその作動方法および作動プログラム、並びに診療支援システムに関するものである。
【背景技術】
【０００２】
医療分野において、患者の治療を円滑に進めるために、患者に対して実施する診察や医療検査等の複数の作業に関する情報（以下、作業情報）を表示したワークリストの表示画面を生成する診療支援装置が知られている。診療支援装置は、生成した表示画面を、患者を診察する医師や患者を看護する看護師、医療検査を実施する検査技師といった医療スタッフの閲覧に供する。医療スタッフは、ワークリストによって、自身が担当する作業の作業情報を確認することができる。
【０００３】
例えば特許文献１には、複数の患者の患者名といった患者識別情報が配列される患者配列軸と、複数の作業の項目（以下、作業項目）が配列される項目配列軸と、複数の患者識別情報と複数の作業項目の各々の交差部分である複数のセルとで構成されるワークリスト（特許文献１では患者リストと表記）が記載されている。特許文献１では、複数のセルのうち、実施予定または実施済みの作業の作業項目に該当するセルには、その作業の作業情報が表示される。一方、実施予定がない作業の作業項目に該当するセルには、当然ながら作業情報は表示されない。なお、特許文献１では、作業情報として、作業の進捗状況を表すアイコンを表示している。
【先行技術文献】
【特許文献】
【０００４】
【特許文献１】特開２００６−３３８５２１号公報
【発明の概要】
【発明が解決しようとする課題】
【０００５】
特許文献１に記載のワークリストには、前述のように作業情報が表示されるセル（以下、情報表示セル）と、作業情報が表示されないセル（以下、空欄セル）が散在している。このように情報表示セルと空欄セルが散在した表示態様では、表示画面のサイズが有限であるため、空欄セルの分だけ一度に表示することができる情報表示セルの数が減り、ワークリストの一覧性が低下してしまう。
【０００６】
例えば表示画面に一度に収まる患者識別情報の数が１０個で、ある作業に対して実施予定がない患者が５人いた場合、当該作業の作業項目に該当する１０個のセルのうちの半分の５個は空欄セルとなるため、セルの表示スペースとしては１０個分あるにも関わらず、当該作業の作業項目に該当する情報表示セルは半分の５個しか表示することができない。患者識別情報と作業項目とを入れ替えて、表示画面に一度に収まる作業項目の数が１０個で、ある患者に対して実施予定がない作業が５つある場合も同様に一覧性が低下する。すなわち、有限のサイズの表示画面で、一度により多くの作業情報を確認可能とするためには、空欄セルは邪魔である。
【０００７】
特に、作業情報を詳細に確認可能とするために、セルに表示する作業情報を複数行の文字で表現した場合は、１つ１つのセルのサイズが大きくなるため、空欄セルによるワークリストの一覧性低下の影響が顕著となる。
【０００８】
とはいえ、情報表示セルと空欄セルが散在した表示態様は、セルの位置によって、そのセルがどの患者識別情報と作業項目に該当するかを知ることができるため、作業情報を全般的に俯瞰でみたい場合には好適である。
【０００９】
医療スタッフにとって、例えば患者の診察時といった個々の患者に主眼を置いて作業情報を確認する目的、医療施設の始業時や終業時に、残作業がどの程度あるかといった作業の実施状況を全般的に俯瞰することを主眼に作業情報を確認する目的、あるいは専門的な医療スタッフの各々が、自身が担当する作業を把握することを主眼として作業情報を確認する目的等、作業情報を確認する目的に応じてワークリストの好ましい表示態様が異なる。このため、様々な利用目的に応じて、医療スタッフが望む表示態様のワークリストを表示することが可能な仕組みが切望されていた。
【００１０】
本発明は、様々な利用目的に応じて、医療スタッフが望む表示態様のワークリストを表示することが可能な診療支援装置とその作動方法および作動プログラム、並びに診療支援システムを提供することを目的とする。
【課題を解決するための手段】
【００１１】
上記課題を解決するために、本発明の診療支援装置は、複数の患者の患者識別情報が配列される患者配列軸と、医療スタッフが患者に対して実施する複数の作業の項目である作業項目が配列される項目配列軸と、複数の患者識別情報と複数の作業項目の各々の交差部分である複数のセルとで構成され、患者配列軸と項目配列軸の一方が行方向、他方が列方向にそれぞれ配されたワークリストであり、セルには、作業に関する作業情報が表示される情報表示セルと、作業情報が表示されない空欄セルとがあるワークリストの表示画面を生成する画面生成部と、表示画面を介して入力される行方向または列方向のいずれかの方向の指定を受け付ける受付部と、空欄セルの少なくとも１つを削除して、行方向または列方向のうち受付部で受け付けた方向に情報表示セルを詰めることによって、情報表示セルを空間的に集約表示する集約表示機能を有する画面表示制御部であって、さらに、ワークリストの表示態様を、空欄セルを削除せずに表示する第１表示態様と、空欄セルを削除して行方向に情報表示セルを詰めて集約表示する第２表示態様と、空欄セルを削除して列方向に情報表示セルを詰めて集約表示する第３表示態様とに切り替える表示態様切替機能を有する画面表示制御部とを備える。
【００１２】
受付部は、表示画面を介した同一の入力操作によって、第１表示態様と第２表示態様と第３表示態様の間で表示態様を順次切り替える指定を受け付けることが好ましい。
【００１３】
受付部は、ワークリストの複数の行のうちの１つの行の指定、ワークリストの複数の列のうちの１つの列の指定、または複数のセルのうちの１つのセルの指定のうちの少なくともいずれか１つを受け付けることが好ましい。
【００１４】
画面表示制御部は、受付部で受け付けた１つの行の中の空欄セルを削除して、１つの行の中の情報表示セルを行方向に詰めて集約表示し、かつ空欄セルが存在する列については、情報表示セルの有無に関わらず列全体を削除することで表示態様を第２表示態様とする、および／または、受付部で受け付けた１つの列の中の空欄セルを削除して、１つの列の中の情報表示セルを列方向に詰めて集約表示し、かつ空欄セルが存在する行については、情報表示セルの有無に関わらず行全体を削除することで表示態様を第３表示態様とすることが好ましい。
【００１５】
あるいは、画面表示制御部は、受付部で受け付けた１つの行の中の空欄セルを削除して、１つの行の中の情報表示セルを行方向に詰めて集約表示し、かつ受付部で受け付けた１つの行以外の他の行については、集約表示を行わないことで表示態様を第２表示態様とする、および／または、受付部で受け付けた１つの列の中の空欄セルを削除して、１つの列の中の情報表示セルを列方向に詰めて集約表示し、かつ受付部で受け付けた１つの列以外の他の列については、集約表示を行わないことで表示態様を第３表示態様とすることが好ましい。この場合、画面表示制御部は、第２表示態様において集約表示する１つの行を強調表示する、および／または、第３表示態様において集約表示する１つの列を強調表示することが好ましい。
【００１６】
画面表示制御部は、受付部で受け付けた１つのセルが情報表示セルであった場合、１つのセルを中心にして、行方向または列方向のうち受付部で受け付けた方向に情報表示セルを詰めることによって、表示態様を第２表示態様または第３表示態様とすることが好ましい。
【００１７】
画面表示制御部は、ワークリストの複数の行の全てについて集約表示を行うことで表示態様を第２表示態様とする、および／または、ワークリストの複数の列の全てについて集約表示を行うことで表示態様を第３表示態様とすることが好ましい。
【００１８】
表示態様切替機能は、表示態様を、受付部で受け付けた１つの行の中の空欄セルを削除して、１つの行の中の情報表示セルを行方向に詰めて集約表示し、かつ受付部で受け付けた１つの行以外の他の行については、集約表示を行わない第２表示態様と、ワークリストの複数の行の全てについて集約表示を行う第２表示態様のいずれかに切り替える機能を含む、および／または、表示態様を、受付部で受け付けた１つの列の中の空欄セルを削除して、１つの列の中の情報表示セルを列方向に詰めて集約表示し、かつ受付部で受け付けた１つの列以外の他の列については、集約表示を行わない第３表示態様と、ワークリストの複数の列の全てについて集約表示を行う第３表示態様のいずれかに切り替える機能を含むことが好ましい。
【００１９】
画面表示制御部は、第２表示態様または第３表示態様において、集約表示によって第１表示態様における元の位置からずらされた情報表示セルに、元の位置の場合に該当する作業項目または患者識別情報を表示することが好ましい。
【００２０】
画面表示制御部は、第２表示態様または第３表示態様において、集約表示した情報表示セルが表示画面に一度に収まりきらない場合、情報表示セルを折り返して表示することが好ましい。
【００２１】
作業情報は作業の進捗状況を含み、進捗状況には、作業を実施予定であるが未だ完了していない未完と、作業を実施済みの完了とがあり、情報表示セルには、進捗状況が未完である未完セルと、進捗状況が完了である完了セルとがあることが好ましい。
【００２２】
画面表示制御部は、受付部で受け付けた１つのセルが空欄セルまたは未完セルであった場合、行方向または列方向のうちの患者配列軸が配された方向に情報表示セルを詰めることが好ましい。
【００２３】
画面表示制御部は、受付部で受け付けた１つのセルが完了セルであった場合、作業の詳細を表示することが好ましい。
【００２４】
あるいは、画面表示制御部は、受付部で受け付けた１つのセルが完了セルであった場合、行方向または列方向のうちの項目配列軸が配された方向に情報表示セルを詰めることが好ましい。
【００２５】
画面表示制御部は、空欄セルに加えて完了セルも削除し、未完セルのみを集約表示することが好ましい。
【００２６】
画面表示制御部は、行方向または列方向のうちの患者配列軸が配された方向に情報表示セルを詰める場合、作業の実施順に情報表示セルをソートすることが好ましい。
【００２７】
本発明の診療支援装置の作動方法は、複数の患者の患者識別情報が配列される患者配列軸と、医療スタッフが患者に対して実施する複数の作業の項目である作業項目が配列される項目配列軸と、複数の患者識別情報と複数の作業項目の各々の交差部分である複数のセルとで構成され、患者配列軸と項目配列軸の一方が行方向、他方が列方向にそれぞれ配されたワークリストであり、セルには、作業に関する作業情報が表示される情報表示セルと、作業情報が表示されない空欄セルとがあるワークリストの表示画面を生成する画面生成ステップと、表示画面を介して入力される行方向または列方向のいずれかの方向の指定を受け付ける受付ステップと、空欄セルの少なくとも１つを削除して、行方向または列方向のうち受付ステップで受け付けた方向に情報表示セルを詰めることによって、情報表示セルを空間的に集約表示する集約表示機能を実行する画面表示制御ステップであって、さらに、ワークリストの表示態様を、空欄セルを削除せずに表示する第１表示態様と、空欄セルを削除して行方向に情報表示セルを詰めて集約表示する第２表示態様と、空欄セルを削除して列方向に情報表示セルを詰めて集約表示する第３表示態様とに切り替える表示態様切替機能を実行する画面表示制御ステップとを備える。
【００２８】
本発明の診療支援装置の作動プログラムは、複数の患者の患者識別情報が配列される患者配列軸と、医療スタッフが患者に対して実施する複数の作業の項目である作業項目が配列される項目配列軸と、複数の患者識別情報と複数の作業項目の各々の交差部分である複数のセルとで構成され、患者配列軸と項目配列軸の一方が行方向、他方が列方向にそれぞれ配されたワークリストであり、セルには、作業に関する作業情報が表示される情報表示セルと、作業情報が表示されない空欄セルとがあるワークリストの表示画面を生成する画面生成機能と、表示画面を介して入力される行方向または列方向のいずれかの方向の指定を受け付ける受付機能と、空欄セルの少なくとも１つを削除して、行方向または列方向のうち受付機能で受け付けた方向に情報表示セルを詰めることによって、情報表示セルを空間的に集約表示する集約表示機能を実行する画面表示制御機能であって、さらに、ワークリストの表示態様を、空欄セルを削除せずに表示する第１表示態様と、空欄セルを削除して行方向に情報表示セルを詰めて集約表示する第２表示態様と、空欄セルを削除して列方向に情報表示セルを詰めて集約表示する第３表示態様とに切り替える表示態様切替機能を実行する画面表示制御機能とを、コンピュータに実行させる。
【００２９】
さらに本発明の診療支援システムは、診療支援装置と、診療支援装置にネットワークを通じて接続されたクライアント端末とを備える診療支援システムにおいて、複数の患者の患者識別情報が配列される患者配列軸と、医療スタッフが患者に対して実施する複数の作業の項目である作業項目が配列される項目配列軸と、複数の患者識別情報と複数の作業項目の各々の交差部分である複数のセルとで構成され、患者配列軸と項目配列軸の一方が行方向、他方が列方向にそれぞれ配されたワークリストであり、セルには、作業に関する作業情報が表示される情報表示セルと、作業情報が表示されない空欄セルとがあるワークリストの表示画面を生成する画面生成部と、表示画面を介して入力される行方向または列方向のいずれかの方向の指定を受け付ける受付部と、空欄セルの少なくとも１つを削除して、行方向または列方向のうち受付部で受け付けた方向に情報表示セルを詰めることによって、情報表示セルを空間的に集約表示する集約表示機能を有する画面表示制御部であって、さらに、ワークリストの表示態様を、空欄セルを削除せずに表示する第１表示態様と、空欄セルを削除して行方向に情報表示セルを詰めて集約表示する第２表示態様と、空欄セルを削除して列方向に情報表示セルを詰めて集約表示する第３表示態様とに切り替える表示態様切替機能を有する画面表示制御部とを備える。
【発明の効果】
【００３０】
本発明によれば、患者に対して実施する複数の作業に関する作業情報を表示したワークリストの表示態様を、空欄セルを削除せずに表示する第１表示態様と、空欄セルを削除して行方向に情報表示セルを詰めて集約表示する第２表示態様と、空欄セルを削除して列方向に情報表示セルを詰めて集約表示する第３表示態様とに切り替えるので、様々な利用目的に応じて、医療スタッフが望む表示態様のワークリストを表示することが可能な診療支援装置とその作動方法および作動プログラム、並びに診療支援システムを提供することができる。
【図面の簡単な説明】
【００３１】
【図１】診療支援システムを示す図である。
【図２】カルテＤＢに格納された電子カルテの内容を示す図である。
【図３】画像ＤＢに格納された検査画像の内容を示す図である。
【図４】レポートＤＢに格納された医用レポートの内容を示す図である。
【図５】クライアント端末および診療支援サーバを構成するコンピュータを示すブロック図である。
【図６】クライアント端末のＣＰＵの各機能部を示すブロック図である。
【図７】診療支援サーバのＣＰＵの各機能部を示すブロック図である。
【図８】作業情報ＤＢに格納された作業情報テーブルの内容を示す図である。
【図９】表示画面を示す図である。
【図１０】ワークリストの拡大図である。
【図１１】第１表示態様のワークリストと第２表示態様のワークリストを示す図である。
【図１２】集約表示によって第１表示態様における元の位置からずらされた情報表示セルに、元の位置の場合に該当する作業項目を表示する具体例を示す図である。
【図１３】情報表示セルを行方向に詰める様子を示す図である。
【図１４】第１表示態様のワークリストと第３表示態様のワークリストを示す図である。
【図１５】集約表示によって第１表示態様における元の位置からずらされた情報表示セルに、元の位置の場合に該当する患者識別情報を表示する具体例を示す図である。
【図１６】情報表示セルを列方向に詰める様子を示す図である。
【図１７】表示態様切替ボタンの指定状態と、これに対応するワークリストの表示態様を示す図である。
【図１８】診療支援サーバのＣＰＵの処理手順を示すフローチャートである。
【図１９】項目欄の作業項目を非表示としたワークリストを示す図である。
【図２０】患者欄の患者情報をグレーアウト処理で目立たなくしたワークリストを示す図である。
【図２１】第２実施形態の第１表示態様のワークリストと第２表示態様のワークリストを示す図である。
【図２２】第２実施形態で情報表示セルを行方向に詰める様子を示す図である。
【図２３】第２実施形態の第１表示態様のワークリストと第３表示態様のワークリストを示す図である。
【図２４】第２実施形態で情報表示セルを列方向に詰める様子を示す図である。
【図２５】第３実施形態の第１表示態様のワークリストと第２表示態様のワークリストを示す図である。
【図２６】第３実施形態で情報表示セルを行方向に詰める様子を示す図である。
【図２７】第３実施形態の第１表示態様のワークリストと第３表示態様のワークリストを示す図である。
【図２８】第３実施形態で情報表示セルを列方向に詰める様子を示す図である。
【図２９】第４実施形態の第１表示態様のワークリストと第２表示態様のワークリストを示す図である。
【図３０】第４実施形態で情報表示セルを行方向に詰める様子を示す図である。
【図３１】第４実施形態の第１表示態様のワークリストと第３表示態様のワークリストを示す図である。
【図３２】第４実施形態で情報表示セルを列方向に詰める様子を示す図である。
【図３３】第１実施形態と第３実施形態を複合して実施した場合の第１表示態様のワークリストと第２表示態様のワークリストを示す図である。
【図３４】第１実施形態と第３実施形態を複合して実施した場合の第１表示態様のワークリストと第３表示態様のワークリストを示す図である。
【図３５】表示部分に一度に収まりきらない情報表示セルを折り返して表示する第６実施形態を示す図である。
【図３６】空欄セルまたは未完セルが指定された場合、患者配列軸が配された方向に情報表示セルを詰め、完了セルが指定された場合、作業の詳細を表示する第７実施形態を示す図である。
【図３７】空欄セルまたは未完セルが指定された場合、患者配列軸が配された方向に情報表示セルを詰め、完了セルが指定された場合、項目配列軸が配された方向に情報表示セルを詰める第８実施形態を示す図である。
【図３８】空欄セルに加えて完了セルも削除し、未完セルのみを集約表示する第９実施形態を示す図である。
【図３９】作業の実施順に情報表示セルをソートする第１０実施形態を示す図である。
【発明を実施するための形態】
【００３２】
[第１実施形態]
図１において、診療支援システム１０は、医療施設内に構築され、クライアント端末１１、および診療支援装置に相当する診療支援サーバ１２等を備える。クライアント端末１１と診療支援サーバ１２は、医療施設内に敷設されたＬＡＮ（Local Area Network）等のネットワーク１３を介して相互に通信可能に接続されている。
【００３３】
ネットワーク１３には、電子カルテサーバ１４、画像サーバ１５、およびレポートサーバ１６（以下、まとめてサーバ群１７と表記）も接続されている。電子カルテサーバ１４はカルテデータベース（以下、ＤＢ（Data Base）と略記）１４Ａを有し、カルテＤＢ１４Ａには電子カルテ１８が検索可能に記録されている。画像サーバ１５は画像ＤＢ１５Ａを有し、画像ＤＢ１５Ａには各種画像検査で得られた検査画像１９が検索可能に記録されている。レポートサーバ１６はレポートＤＢ１６Ａを有し、レポートＤＢ１６Ａには検査画像１９を読影医が読影した結果である所見をまとめた医用レポート２０が検索可能に記録されている。
【００３４】
クライアント端末１１、診療支援サーバ１２、およびサーバ群１７は、パーソナルコンピュータ、サーバコンピュータ、ワークステーションといったコンピュータをベースに、オペレーティングシステム等の制御プログラムや、各種アプリケーションプログラムをインストールして構成される。
【００３５】
診療支援サーバ１２は、患者に対して実施する診察や医療検査等の複数の作業に関する作業情報を表示したワークリスト５０（図９等参照）の表示画面２１を出力する機能を有する。作業情報には作業を担当する医療スタッフや作業の進捗状況等が含まれる。サーバ群１７は、電子カルテ１８、検査画像１９、および医用レポート２０をそれぞれ管理する機能を有する。
【００３６】
クライアント端末１１は、患者を診療する医師や患者を看護する看護師、各種医療検査を実施する検査技師等（以下、まとめて医療スタッフと表記）により操作される。クライアント端末１１は、内科、外科、検査科、リハビリ科等の診療科毎や医療スタッフ毎に複数台配備されている。クライアント端末１１は、診療支援サーバ１２およびサーバ群１７が提供する各種機能を利用して患者の診療を行う際、具体的には電子カルテ１８、検査画像１９、医用レポート２０、あるいは表示画面２１を閲覧する際や、電子カルテ１８に各種情報を入力したり、医用レポート２０を作成する際等に使用される。なお、クライアント端末１１は、各診療科に据え置かれる据え置き型でもよいし、各医療スタッフが持ち運ぶ携帯型でもよい。
【００３７】
診療支援サーバ１２は、クライアント端末１１からの配信要求を受け付ける。また、診療支援サーバ１２は、医療施設を受診した患者の診療過程で取得された診療データをサーバ群１７から取得する。診療支援サーバ１２は、取得した診療データに応じた作業情報を、作業情報ＤＢ１２Ａの作業情報テーブル２２に格納する。診療支援サーバ１２は、作業情報テーブル２２の作業情報を元に表示画面２１を生成する。診療支援サーバ１２は、生成した表示画面２１を、配信要求の要求元のクライアント端末１１に送信する。
【００３８】
診療支援サーバ１２は、ウェブブラウザ上で閲覧可能な表示画面２１を配信する。診療支援サーバ１２は、クライアント端末１１に対して認証キーを発行して、診療支援サーバ１２へのアクセス権限を与える。クライアント端末１１には、診療支援サーバ１２から配信された表示画面２１が表示される。
【００３９】
診療支援サーバ１２は、表示画面２１を、例えば、ＸＭＬ（Extensible Markup Language）等のマークアップ言語によって作成されるウェブ配信用の画面データの形式で出力する。クライアント端末１１は、画面データに基づき表示画面２１をウェブブラウザ上に再現して表示する。なお、ＸＭＬに代えて、ＪＳＯＮ（JavaScript（登録商標） Object Notation）等の他のデータ記述言語を利用してもよい。
【００４０】
図２において、カルテＤＢ１４Ａの電子カルテ１８は、「１２３４５６７」といった患者ＩＤ（Identification Data）が関連付けられて患者単位で管理される。電子カルテサーバ１４は、この患者ＩＤを検索キーとしてカルテＤＢ１４Ａから電子カルテ１８を検索することが可能である。
【００４１】
電子カルテ１８は複数種類の診療データで構成される。診療データの種類には、血液検査、尿検査等の患者に対して実施した各種検体検査、検体検査や画像検査、レポート作成、手術、投薬等の指示を記したオーダ、医師が電子カルテ１８に入力した患者の主訴といった診察内容や疾患名等の診察記録、初診、入退院、麻酔同意書提出、手術同意書提出といった患者の診療過程で生じたイベント等がある。診療データは、これらの種類別に整理されて時系列に記録されている。なお、麻酔同意書、手術同意書は、麻酔、手術を行う必要性やリスクを患者やその家族に説明し、患者やその家族に署名や捺印を求める文書である。
【００４２】
各種診療データの１件分のレコードは、検体検査の実施日時、オーダの発行日時、診察日時、イベントの発生日時といった日時と、検体検査の複数の検査項目の検査値、オーダＩＤおよびオーダの内容、イベント名といった具体的な内容とで構成される。検査項目は、例えば診療データの種類が血液検査の場合、クレアチニン、ＢＵＮ（Blood Urea Nitrogen；血液尿素窒素）、随時血糖等であり、診療データの種類が尿検査の場合、尿酸、血糖、ｐＨ（Potential Hydrogen；水素イオン濃度指数）等である。また、オーダＩＤは、個々のオーダを識別するための番号や記号である。
【００４３】
なお、電子カルテ１８には、患者ＩＤの他、患者の氏名、性別、年齢、生年月日、嗜好（喫煙、飲酒の有無）といった患者情報が記録されている。また、診療データには、上記に挙げたものの他に、患者の心拍、脈拍、血圧、体温等のバイタルサイン、患者に投与した治療薬および投与量を含む処方、既往歴、医療スタッフ間の連絡事項や備忘録を記したメモ等がある。
【００４４】
図３において、画像ＤＢ１５Ａの検査画像１９は、電子カルテ１８と同じく患者ＩＤが関連付けられて患者単位で管理される。電子カルテサーバ１４と同じく、画像サーバ１５は、患者ＩＤを検索キーとして画像ＤＢ１５Ａから検査画像１９を検索することが可能である。
【００４５】
検査画像１９は、各種画像検査で得られた画像である。各種画像検査には、例えば心電図検査、ＣＴ（Computed tomography；コンピュータ断層撮影）検査、ＤＲ（Digital Radiography；デジタルＸ線撮影）検査、ＵＳ（Ultrasonography；超音波）検査、ＭＲＩ（Magnetic Resonance Imaging；核磁気共鳴画像法）検査、内視鏡検査等がある。ＣＴ検査、ＤＲ検査、ＭＲＩ検査等の検査画像１９は、例えばＤＩＣＯＭ（Digital Imaging and Communications in Medicine）規格のデータファイル形式で作成される。
【００４６】
検査画像１９の１件分のファイルは、検査画像１９の本体と、画像検査の実施日時、画像ＩＤおよびオーダＩＤ、「ＤＲ検査」、「ＣＴ検査」等の画像検査の種類および「胸部」、「腹部」等の撮影部位、方向といった様々な付帯情報とで構成される。画像検査の種類は、作業項目として扱われる。画像サーバ１５は、こうした付帯情報とともに検査画像１９を診療データとして診療支援サーバ１２に送信する。
【００４７】
画像ＩＤは、各検査画像１９を識別するための番号や記号である。ＣＴ検査等、１回に複数枚の検査画像１９が撮影される画像検査の場合は、複数枚の検査画像１９が１回の画像検査で得られたことを示すために各検査画像１９に共通のオーダＩＤが付与され、１まとめの検査画像１９として管理される。
【００４８】
図４において、レポートＤＢ１６Ａの医用レポート２０は、電子カルテ１８、検査画像１９と同じく患者ＩＤが関連付けられて患者単位で管理される。各サーバ１４、１５と同じく、レポートサーバ１６は、患者ＩＤを検索キーとしてレポートＤＢ１６Ａから医用レポート２０を検索することが可能である。
【００４９】
医用レポート２０の１件分のファイルは、医用レポート２０の本体と、医用レポート２０の作成日、レポートＩＤ、医用レポート２０に添付した検査画像１９の画像ＩＤおよびオーダＩＤ、並びに画像検査の種類および撮影部位、方向等の付帯情報とで構成される。レポートサーバ１６は、こうした付帯情報とともに医用レポート２０を診療データとして診療支援サーバ１２に送信する。
【００５０】
電子カルテ１８には、診察の担当医師、診察する部屋、および所属診療科や、検体検査の担当看護師、検体検査を実施する部屋、および所属診療科といった情報が関連付けて記憶されている。また、検査画像１９には、画像検査の担当技師、画像検査を実施する部屋、および所属診療科といった情報が関連付けて記憶されている。こうした情報によって、医療スタッフの誰がどこでどの作業をどの患者に実施したかが分かるようになっている。
【００５１】
図５において、クライアント端末１１および診療支援サーバ１２を構成するコンピュータは、基本的な構成は同じであり、それぞれ、ストレージデバイス２５、メモリ２６、ＣＰＵ（Central Processing Unit）２７、通信部２８、ディスプレイ２９、および入力デバイス３０を備えている。これらはデータバス３１を介して相互接続されている。
【００５２】
ストレージデバイス２５は、クライアント端末１１等を構成するコンピュータに内蔵、またはケーブルやネットワークを通じて接続されたハードディスクドライブ、もしくはハードディスクドライブを複数台連装したディスクアレイである。ストレージデバイス２５には、オペレーティングシステム等の制御プログラムや各種アプリケーションプログラム、およびこれらのプログラムに付随する各種画面の表示データ等が記憶されている。
【００５３】
メモリ２６は、ＣＰＵ２７が処理を実行するためのワークメモリである。ＣＰＵ２７は、ストレージデバイス２５に記憶されたプログラムをメモリ２６へロードして、プログラムにしたがった処理を実行することにより、コンピュータの各部を統括的に制御する。
【００５４】
通信部２８は、ネットワーク１３を介した各種情報の伝送制御を行うネットワークインターフェースである。ディスプレイ２９は、マウスやキーボード等の入力デバイス３０の操作に応じた各種画面を表示する。画面にはＧＵＩ(Graphical User Interface)による操作機能が備えられる。クライアント端末１１等を構成するコンピュータは、画面を通じて入力デバイス３０からの操作指示の入力を受け付ける。
【００５５】
なお、以下の説明では、クライアント端末１１を構成するコンピュータの各部には添え字の「Ａ」を、診療支援サーバ１２を構成するコンピュータの各部には添え字の「Ｂ」をそれぞれ符号に付して区別する。
【００５６】
図６において、ウェブブラウザが起動されると、クライアント端末１１のＣＰＵ２７Ａは、メモリ２６等と協働して、ＧＵＩ制御部３５、およびブラウザ制御部３６として機能する。
【００５７】
ＧＵＩ制御部３５は、各種画面をディスプレイ２９Ａに表示し、かつ各種画面を通じて入力デバイス３０Ａから入力される操作指示を受け付ける。操作指示には、診療支援サーバ１２への表示画面２１の配信指示、および表示画面２１の編集指示がある。ＧＵＩ制御部３５は、受け付けた操作指示をブラウザ制御部３６に出力する。
【００５８】
ブラウザ制御部３６は、ウェブブラウザの動作を制御する。ブラウザ制御部３６は、ＧＵＩ制御部３５からの配信指示に応じた配信要求、および編集指示に応じた編集要求を診療支援サーバ１２に対して発行する。なお、配信指示は、例えば診療支援サーバ１２への認証後にディスプレイ２９Ａに表示される配信指示画面（図示せず）を通じて行われる。
【００５９】
また、ブラウザ制御部３６は、診療支援サーバ１２からの表示画面２１の画面データを受け取る。ブラウザ制御部３６は、画面データに基づきウェブブラウザ上に表示する表示画面２１を再現し、これをＧＵＩ制御部３５に出力する。ＧＵＩ制御部３５は、表示画面２１をディスプレイ２９Ａに表示する。
【００６０】
図７において、診療支援サーバ１２のストレージデバイス２５Ｂには、診療支援プログラム４０が記憶されている。診療支援プログラム４０は、診療支援サーバ１２を構成するコンピュータを、診療支援装置として機能させるためのアプリケーションプログラムであり、診療支援装置の作動プログラムに相当する。
【００６１】
診療支援プログラム４０が起動されると、診療支援サーバ１２のＣＰＵ２７Ｂは、メモリ２６等と協働して、要求受付部４１、画面生成部４２、画面表示制御部４３、配信制御部４４、および作業情報管理部４５として機能する。
【００６２】
要求受付部４１は受付部に相当する。要求受付部４１は、クライアント端末１１からの配信要求および編集要求を受け付ける。要求受付部４１は、配信要求を画面生成部４２に、編集要求を画面表示制御部４３にそれぞれ出力する。
【００６３】
画面生成部４２は、配信要求に応じて作業情報管理部４５から作業情報を受け取り、受け取った作業情報に基づいて表示画面２１を生成する。画面生成部４２は、生成した表示画面２１を画面表示制御部４３および配信制御部４４に出力する。
【００６４】
画面表示制御部４３は、編集要求に応じて、画面生成部４２からの表示画面２１を編集する。画面表示制御部４３は、表示画面２１を編集するための機能として、集約表示機能と表示態様切替機能を有する。画面表示制御部４３は、編集した表示画面２１を配信制御部４４に出力する。
【００６５】
配信制御部４４は、画面生成部４２で生成した表示画面２１または画面表示制御部４３で編集した表示画面２１を、配信要求または編集要求の要求元のクライアント端末１１に出力する。
【００６６】
作業情報管理部４５は、作業情報ＤＢ１２Ａの作業情報テーブル２２を管理する。作業情報管理部４５は、サーバ群１７に対して、定期的、例えば１時間毎に診療データの取得要求を発行する。作業情報管理部４５は、この取得要求に応じてサーバ群１７から送信された診療データを取得し、取得した診療データに基づいて作業情報を作成し、作成した作業情報を作業情報テーブル２２に格納する。なお、医療検査に関わる診療データの取得要求は１時間毎、その他の診療データは１日毎というように、診療データの種類に応じて取得要求を発行する間隔を変更してもよい。
【００６７】
作業情報管理部４５は、作業情報テーブル２２から作業情報を読み出し、読み出した作業情報を表示画面２１の生成のために画面生成部４２に提供する。
【００６８】
図８において、作業情報テーブル２２は、作業情報を患者毎に記録したものである。作業情報テーブル２２は、項番、患者情報、および作業項目に分けられている。項番には、例えば診察の予約順または受け付け順の番号が付される。患者情報には、電子カルテ１８に記録された前述の患者ＩＤ、氏名、性別、年齢、および生年月日が転記される。これらの情報のうち、点線の枠および符号ＩＰで示す患者ＩＤおよび氏名が患者識別情報に相当する。
【００６９】
作業項目は、診察、血液検査、ＣＴ検査、ＤＲ検査等である。作業項目には、これらの他にも、尿検査、心電図検査、ＵＳ検査といった他の医療検査の作業項目、入院予約、麻酔依頼、手術申込、麻酔同意書、手術同意書等のイベント関連の作業項目がある。作業項目には、作業情報として、その作業を受け付けた日時（受付日時）、作業を担当する診療科、部屋、および医療スタッフが記録される。医療検査の場合はさらにオーダＩＤが記録される。これらの情報は電子カルテ１８や検査画像１９から転記される。ＣＴ検査やＤＲ検査等の画像検査の作業項目には、上記の診療科等の情報に加えて、検査画像１９の画像ＩＤおよび医用レポート２０のレポートＩＤが転記される。
【００７０】
また、作業項目には、点線の枠および符号ＰＲで示すように、作業情報として作業の進捗状況が記録される。進捗状況には、項番４のＣＴ検査等に示すように、作業を実施予定であるが未だ完了していない未完と、項番１の診察や血液検査等に示すように、作業を実施済みの完了とがある。未完には、その作業に取り掛かっていない未着手、作業に取り掛かっている最中の作業中、あるいは何らかのトラブル等で作業を中断している中断の各状態が含まれる。
【００７１】
作業情報管理部４５は、診察、入院予約、麻酔依頼、手術申込、麻酔同意書、手術同意書等の場合は、医療スタッフが電子カルテ１８を通じて作業が完了した旨を入力したときに、進捗状況を未完から完了に変更する。血液検査や尿検査等の検体検査の場合は、検査値がカルテＤＢ１４Ａに記録されたとき、心電図検査、ＣＴ検査、ＤＲ検査等の画像検査の場合は、検査画像１９が画像ＤＢ１５Ａに記録されたとき、あるいは医用レポート２０がレポートＤＢ１６Ａに記録されたときに、それぞれ進捗状況を未完から完了に変更する。
【００７２】
作業情報は、診察予約や入院予約がされたりオーダが発行されたり等して、実施することが確定した作業項目に対して記録される。一方、作業の実施予定がない作業項目には、項番４の血液検査の点線の枠および符号ＢＬで示すように、作業情報は記録されない。
【００７３】
図９において、表示画面２１には、ワークリスト５０が表示される。ワークリスト５０は、患者識別情報を含む各患者の患者情報が配列される患者配列軸Ｙと、各作業項目が配列される項目配列軸Ｘと、各患者情報と各作業項目の各々の交差部分である複数のセル５１とで構成される。患者配列軸Ｙは列方向に、項目配列軸Ｘは行方向にそれぞれ配されている。
【００７４】
ワークリスト５０の左端には、患者配列軸Ｙに沿って患者欄５２が設けられている。また、ワークリスト５０の上端には、項目配列軸Ｘに沿って項目欄５３が設けられている。患者欄５２には項番および患者情報が項番順に患者配列軸Ｙに沿って並べて表示され、項目欄５３には作業項目が項目配列軸Ｘに沿って並べて表示される。項目欄５３の作業項目は、通常実施する順番に左から右に並べられている。例えば診察は、通常最初に実施する作業であるため、診察の作業項目は左端に配されている。また、入院予約や手術申込等は、検体検査や画像検査を実施したうえで、その検査結果に応じて行われる作業であるため、検体検査や画像検査の作業項目の右側に配されている。
【００７５】
セル５１は、項目配列軸Ｘに沿う辺が患者配列軸Ｙに沿う辺よりも若干長い矩形状を有している。セル５１には、作業情報が表示される情報表示セル５１Ａと、作業情報が表示されない空欄セル５１Ｂとがある。情報表示セル５１Ａは、作業情報テーブル２２において、実施することが確定して作業情報が記録された作業項目に対応する位置に表示される。一方、空欄セル５１Ｂは、図８に符号ＢＬで示したように、作業情報テーブル２２において、作業の実施予定がなく、作業情報が記録されていない作業項目に対応する位置に表示される。
【００７６】
情報表示セル５１Ａは、集約表示機能により、空間的に集約表示することが可能である。集約表示した場合、空欄セル５１Ｂは削除され、情報表示セル５１Ａは行方向（項目配列軸Ｘの方向）または列方向（患者配列軸Ｙの方向）のいずれかに詰められる。
【００７７】
これによりワークリスト５０は、以下の３つの表示態様をとる。すなわち、空欄セル５１Ｂを削除せずに表示する第１表示態様と、空欄セル５１Ｂを削除して行方向に情報表示セル５１Ａを詰めて集約表示する第２表示態様と、空欄セル５１Ｂを削除して列方向に情報表示セル５１Ａを詰めて集約表示する第３表示態様とである。表示態様切替機能は、これら３つの表示態様を切り替える機能である。
【００７８】
情報表示セル５１Ａにはアイコン５４が配される。アイコン５４には、作業情報の具体的な内容を示す複数行の文字が表示される。アイコン５４に表示される文字は、それを医療スタッフが閲覧することで、作業情報の中味を十分に理解可能な内容である。例えば診察の作業項目に配されたアイコン５４には、診察を予約した、または受け付けた日時、診療科、部屋、および担当医師が表示される（図１０も参照）。一方、空欄セル５１Ｂにはアイコン５４は配されず、文字通り空欄となっている。
【００７９】
アイコン５４は、作業項目毎に予め有彩色の表示色が設定されている。例えば診察の作業項目に配されたアイコン５４はラセットブラウン（小豆色）、血液検査の作業項目に配されたアイコン５４はイエローオーカー（黄土色）といった具合である。また、アイコン５４に表示される文字は白色（白抜き）で表示される。
【００８０】
表示画面２１には、ワークリスト５０の他に、表示態様切替ボタン５５、縦スクロールバー５６Ａ、横スクロールバー５６Ｂ等が表示される。これら表示態様切替ボタン５５および各スクロールバー５６Ａ、５６Ｂは、カーソル５７で操作することが可能である。
【００８１】
表示態様切替ボタン５５は、同一の入力操作によって、ワークリスト５０の３つの表示態様を順次切り替える指定を入力するためのトグル形式のボタンであり、ワークリスト５０の右横に設けられている。表示態様切替ボタン５５がカーソル５７で選択されると、クライアント端末１１から診療支援サーバ１２に表示画面２１の編集要求が送信される。なお、配信要求に応じて最初に配信される表示画面２１では、ワークリスト５０は図９に示すような空欄セル５１Ｂが削除されない第１表示態様で表示される。
【００８２】
縦スクロールバー５６Ａは、患者欄５２とは反対側の表示画面２１の右端に、患者配列軸Ｙに沿って設けられている。横スクロールバー５６Ｂは、項目欄５３とは反対側の表示画面２１の下端に、項目配列軸Ｘに沿って設けられている。縦スクロールバー５６Ａは、患者欄５２の患者情報の一部が表示画面２１に一度に収まりきらない非表示部分となる場合に表示される。横スクロールバー５６Ｂは、項目欄５３の作業項目の一部が表示画面２１に一度に収まりきらない非表示部分となる場合に表示される。非表示部分は、各スクロールバー５６Ａ、５６Ｂがカーソル５７で操作される、あるいはマウスのホイールボタンが回転されるといったスクロール操作により表示可能となる。
【００８３】
ワークリスト５０の一部を拡大した図１０に示すように、情報表示セル５１Ａは、進捗状況に応じて２種類に分けられる。すなわち、情報表示セル５１Ａには、進捗状況が未完である未完セル５１Ａａと、進捗状況が完了である完了セル５１Ａｂとがある。
【００８４】
この進捗状況に応じた情報表示セル５１Ａの分類に伴い、未完セル５１Ａａと完了セル５１Ａｂとでは、アイコン５４が区別して表示される。具体的には、未完セル５１Ａａでは、ハッチングＨ１で示すように、予め設定された有彩色の表示色ではなく、例えばグレー等の無彩色でアイコン５４が表示される。一方、完了セル５１Ａｂでは、予め設定された有彩色の表示色でアイコン５４が表示される。なお、表示色の変更に加えて、あるいは代えて、完了セル５１Ａｂのアイコン５４には作業情報の文字を太字で表示し、未完セル５１Ａａのアイコン５４には作業情報の文字を細字または点線の字で表示する等して、未完セル５１Ａａと完了セル５１Ａｂとを区別して表示してもよい。
【００８５】
図１１に、第１表示態様のワークリスト５０と第２表示態様のワークリスト５０を示す。なお、図１１では、煩雑を避けるため、アイコン５４の作業情報の文字を線で表し、情報表示セル５１Ａを未完セル５１Ａａ、完了セル５１Ａｂの区別なく表示し、かつ患者欄５２の患者情報をＡ、Ｂ、Ｃ、・・・といった大文字のアルファベット、項目欄５３の作業項目をａ、ｂ、ｃ、・・・といった小文字のアルファベットでそれぞれ表した簡易的なワークリスト５０を用いて説明する。また、表示画面２１の表示部分を、実線の太枠および符号ＤＳで示す。以降の図１３、図１４、図１６等も同様である。
【００８６】
図１１において、上段は第１表示態様のワークリスト５０、下段は第２表示態様のワークリスト５０をそれぞれ示している。第１表示態様では、空欄セル５１Ｂは削除されず、情報表示セル５１Ａも詰められずに表示される。一方、第２表示態様では、空欄セル５１Ｂが削除され、行方向に情報表示セル５１Ａが詰められて集約表示される。
【００８７】
また、第２表示態様では、点線の枠および符号ＲＥで示すように、集約表示によって第１表示態様における元の位置からずらされた情報表示セル５１Ａに、元の位置の場合に該当する作業項目が表示される。例えば、第１表示態様で作業項目ｊ、患者情報Ｄの位置にある情報表示セル５１Ａ１は、第２表示態様では作業項目ｇの位置にずらされるので、アイコン５４に元の位置の場合に該当する作業項目ｊが表示される。
【００８８】
より具体的には図１２に示すように、第１表示態様で心電図検査の作業項目の位置にあった情報表示セル５１Ａが、第２表示態様で尿検査の作業項目の位置にずらされた場合、当該情報表示セル５１Ａのアイコン５４に「心電図」が表示される。
【００８９】
図１３の上段は、図１１の上段の第１表示態様における患者情報Ａの行を示す。この段階では、患者情報Ａの行を構成する全セル５１のうち、作業項目ａ、ｂ、ｅ、ｆ、ｈ、ｊに該当するセル５１が情報表示セル５１Ａ、作業項目ｃ、ｄ、ｇ、ｉ、ｋに該当するセル５１が空欄セル５１Ｂである。画面表示制御部４３は、集約表示機能により、これら作業項目ｃ、ｄ、ｇ、ｉ、ｋに該当する空欄セル５１Ｂのうち、各情報表示セル５１Ａの間にある作業項目ｃ、ｄ、ｇ、ｉに該当する空欄セル５１Ｂを削除する。そして、中段に示すように、空欄セル５１Ｂを削除した位置に、削除した空欄セル５１Ｂの右側にあった情報表示セル５１Ａをずらす。例えば上段で作業項目ｊの位置にあった情報表示セル５１Ａ２を、空欄セル５１Ｂを削除した作業項目ｉの位置にずらす。
【００９０】
画面表示制御部４３は、こうした空欄セル５１Ｂの削除と情報表示セル５１Ａの左側へのずらしとを行うことで、行方向に情報表示セル５１Ａを詰めていき、最終的には下段に示すように、情報表示セル５１Ａを左側（患者欄５２の側）に集約して第２表示態様とする。言い換えれば、画面表示制御部４３は、情報表示セル５１Ａの間に空欄セル５１Ｂが存在しなくなるまで、情報表示セル５１Ａを空欄セル５１Ｂの位置に行方向に沿って移動させる。なお、図１３では、説明の便宜を図るため、上段、中段、下段の全ての情報表示セル５１Ａのアイコン５４に、元の位置の場合に該当する作業項目を示す小文字のアルファベットを表示している。図２６、図３０等も同様である。
【００９１】
図１４において、上段は図１１と同じく第１表示態様のワークリスト５０、下段は第３表示態様のワークリスト５０をそれぞれ示している。第３表示態様では、空欄セル５１Ｂが削除され、列方向に情報表示セル５１Ａが詰められて集約表示される。
【００９２】
また、第３表示態様では、点線の枠および符号ＣＥで示すように、集約表示によって第１表示態様における元の位置からずらされた情報表示セル５１Ａに、元の位置の場合に該当する患者識別情報が表示される。例えば、第１表示態様で作業項目ｋ、患者情報Ｇの位置にある情報表示セル５１Ａ３は、第３表示態様では患者情報Ｃの位置にずらされるので、アイコン５４に元の位置の場合に該当する患者情報Ｇの患者識別情報が表示される。
【００９３】
より具体的には図１５に示すように、第１表示態様で患者名「久我山紗江子」、患者ＩＤ「０００２５４７」の位置にあった情報表示セル５１Ａが、第３表示態様で患者名「赤田五郎」、患者ＩＤ「１２３４５６７」の位置にずらされた場合、当該情報表示セル５１Ａのアイコン５４に、患者名「久我山紗江子」、患者ＩＤ「０００２５４７」が表示される。
【００９４】
図１６の左側は、図１４の上段の第１表示態様における作業項目ｄの列を示す。この段階では、作業項目ｄの列を構成する全セル５１のうち、患者情報Ｃ、Ｄ、Ｆ、Ｇ、Ｈに該当するセル５１が情報表示セル５１Ａ、患者情報Ａ、Ｂ、Ｅに該当するセル５１が空欄セル５１Ｂである。画面表示制御部４３は、集約表示機能により、各情報表示セル５１Ａの間にあるこれら患者情報Ａ、Ｂ、Ｅに該当する空欄セル５１Ｂを削除する。そして、中央に示すように、空欄セル５１Ｂを削除した位置に、削除した空欄セル５１Ｂの下側にあった情報表示セル５１Ａをずらす。例えば左側で患者情報Ｆの位置にあった情報表示セル５１Ａ４を、空欄セル５１Ｂを削除した患者情報Ｅの位置にずらす。
【００９５】
画面表示制御部４３は、こうした空欄セル５１Ｂの削除と情報表示セル５１Ａの上側へのずらしとを行うことで、列方向に情報表示セル５１Ａを詰めていき、最終的には右側に示すように、情報表示セル５１Ａを上側（項目欄５３の側）に集約して第３表示態様とする。言い換えれば、画面表示制御部４３は、情報表示セル５１Ａの間に空欄セル５１Ｂが存在しなくなるまで、情報表示セル５１Ａを空欄セル５１Ｂの位置に列方向に沿って移動させる。なお、図１６では、図１３の場合と同様に、説明の便宜を図るため、左側、中央、右側の全ての情報表示セル５１Ａのアイコン５４に、元の位置の場合に該当する患者情報を示す大文字のアルファベットを表示している。図２８、図３２等も同様である。
【００９６】
図１７において、表示態様切替ボタン５５は、カーソル５７で選択される毎に、上段左側に示す方向指定なし、上段中央に示す行方向指定、上段右側に示す列方向指定の３つの指定状態の間で順次切り替わる。より詳しくは、表示態様切替ボタン５５は、方向指定なしの状態で選択された場合、行方向指定の状態に移り、行方向指定の状態で選択された場合、列方向指定の状態に移る。そして、列方向指定の状態で選択された場合、方向指定なしの状態に戻る。
【００９７】
表示態様切替ボタン５５が方向指定なしの状態から行方向指定の状態に移った場合、ブラウザ制御部３６は、情報表示セル５１Ａを詰める方向を行方向に指定する旨の編集要求を発行する。この編集要求は要求受付部４１で受け付けられ、画面表示制御部４３に出力される。画面表示制御部４３は、表示態様切替機能により、ワークリスト５０の表示態様を第１表示態様から第２表示態様に切り替える。つまり、表示態様切替ボタン５５が行方向指定の状態の場合、ワークリスト５０の表示態様は、下段中央に示すように第２表示態様となる。
【００９８】
表示態様切替ボタン５５が行方向指定の状態から列方向指定の状態に移った場合、ブラウザ制御部３６は、情報表示セル５１Ａを詰める方向を列方向に指定する旨の編集要求を発行する。この編集要求は要求受付部４１で受け付けられ、画面表示制御部４３に出力される。画面表示制御部４３は、表示態様切替機能により、ワークリスト５０の表示態様を第２表示態様から第３表示態様に切り替える。つまり、表示態様切替ボタン５５が列方向指定の状態の場合、ワークリスト５０の表示態様は、下段右側に示すように第３表示態様となる。
【００９９】
表示態様切替ボタン５５が列方向指定の状態から方向指定なしの状態に移った場合、ブラウザ制御部３６は、空欄セル５１Ｂを削除せず、情報表示セル５１Ａを詰めずに表示する旨の編集要求を発行する。この編集要求は要求受付部４１で受け付けられ、画面表示制御部４３に出力される。画面表示制御部４３は、表示態様切替機能により、ワークリスト５０の表示態様を第３表示態様から第１表示態様に切り替える。つまり、表示態様切替ボタン５５が方向指定なしの状態の場合、ワークリスト５０の表示態様は、下段左側に示すように第１表示態様となる。
【０１００】
以下、上記構成による作用について、図１８のフローチャートを参照して説明する。まず医療スタッフは、クライアント端末１１を通じて診療支援サーバ１２にアクセスして認証を行う。認証後、クライアント端末１１のディスプレイ２９Ａには、配信指示画面が表示される。医療スタッフは、配信指示画面を通じて配信指示を入力する。これによりクライアント端末１１から診療支援サーバ１２に表示画面２１の配信要求が送信される。
【０１０１】
診療支援サーバ１２では、要求受付部４１により配信要求が受け付けられる（ステップＳ１００でＹＥＳ）。配信要求は画面生成部４２に出力される。これにより作業情報管理部４５から画面生成部４２に作業情報が出力される。そして、ステップＳ１１０に示すように、画面生成部４２により作業情報に基づく表示画面２１が生成される。生成された表示画面２１は配信制御部４４により配信要求の要求元のクライアント端末１１に出力される（ステップＳ１２０）。この場合の表示画面２１のワークリスト５０の表示態様は、図９に示すような第１表示態様である。
【０１０２】
クライアント端末１１では、診療支援サーバ１２からの表示画面２１がブラウザ制御部３６で受け取られる。そして、ＧＵＩ制御部３５により表示画面２１がディスプレイ２９Ａに表示される。
【０１０３】
医療スタッフは、表示画面２１を閲覧し、必要に応じて表示態様切替ボタン５５をカーソル５７で選択する。これによりクライアント端末１１から診療支援サーバ１２に表示画面２１の編集要求が送信される。診療支援サーバ１２では、要求受付部４１で編集要求が受け付けられる。編集要求は画面表示制御部４３に出力される。
【０１０４】
ワークリスト５０の表示態様が第１表示態様のときに表示態様切替ボタン５５が選択され、表示態様切替ボタン５５が方向指定なしの状態から行方向指定の状態に移された場合、要求受付部４１では、情報表示セル５１Ａを詰める方向を行方向に指定する旨の編集要求が受け付けられる（ステップＳ１３０でＹＥＳ）。
【０１０５】
この場合は画面表示制御部４３の集約表示機能および表示態様切替機能により、行方向に情報表示セル５１Ａが詰められてワークリスト５０の表示態様が第１表示態様から第２表示態様に切り替えられる（ステップＳ１４０）。このとき、集約表示によって第１表示態様における元の位置からずらされた情報表示セル５１Ａには、元の位置の場合に該当する作業項目ＲＥが表示される。ワークリスト５０の表示態様を第２表示態様とされた表示画面２１は、配信制御部４４により編集要求の要求元のクライアント端末１１に出力される（ステップＳ１５０）。
【０１０６】
ワークリスト５０の表示態様が第２表示態様のときに表示態様切替ボタン５５が選択され、表示態様切替ボタン５５が行方向指定の状態から列方向指定の状態に移された場合、要求受付部４１では、情報表示セル５１Ａを詰める方向を列方向に指定する旨の編集要求が受け付けられる（ステップＳ１６０でＹＥＳ）。
【０１０７】
この場合は画面表示制御部４３の集約表示機能および表示態様切替機能により、列方向に情報表示セル５１Ａが詰められてワークリスト５０の表示態様が第２表示態様から第３表示態様に切り替えられる（ステップＳ１７０）。このとき、集約表示によって第１表示態様における元の位置からずらされた情報表示セル５１Ａには、元の位置の場合に該当する患者識別情報ＣＥが表示される。ワークリスト５０の表示態様を第３表示態様とされた表示画面２１は、配信制御部４４により編集要求の要求元のクライアント端末１１に出力される（ステップＳ１８０）。
【０１０８】
さらに、ワークリスト５０の表示態様が第３表示態様のときに表示態様切替ボタン５５が選択され、表示態様切替ボタン５５が列方向指定の状態から方向指定なしの状態に移された場合、要求受付部４１では、空欄セル５１Ｂを削除せず、情報表示セル５１Ａを詰めずに表示する旨の編集要求が受け付けられる（ステップＳ１９０でＹＥＳ）。
【０１０９】
この場合はステップＳ１２０に戻り、ワークリスト５０の表示態様が第１表示態様の表示画面２１が、配信制御部４４により編集要求の要求元のクライアント端末１１に出力される。これらステップＳ１２０〜ステップＳ１９０の処理は、表示画面２１の表示終了（ステップＳ２００、Ｓ２１０、Ｓ２２０でＹＥＳ）まで続けられる。
【０１１０】
第１表示態様では、空欄セル５１Ｂは削除されず、情報表示セル５１Ａも詰められずに情報表示セル５１Ａと空欄セル５１Ｂが散在して表示される。このため、情報表示セル５１Ａの位置によって、その情報表示セル５１Ａがどの患者識別情報と作業項目に該当するかを知ることができ、作業情報を全般的に俯瞰でみることができる。
【０１１１】
対して第２表示態様および第３表示態様では、空欄セル５１Ｂが削除されて情報表示セル５１Ａが行方向または列方向に詰められる。これにより、図１３の上段の作業項目ｊの位置にある情報表示セル５１Ａ２や、図１６の左側の患者情報Ｆの位置にある情報表示セル５１Ａ４のように、第１表示態様では表示部分ＤＳ内になかった情報表示セル５１Ａを、第２表示態様および第３表示態様では表示部分ＤＳ内に収めることができる。したがって、ワークリスト５０の一覧性が向上し、一度により多くの作業情報を確認することができる。
【０１１２】
また、第２表示態様では、患者配列軸Ｙと直交する行方向に情報表示セル５１Ａが詰められるので、各患者に対して実施する作業がどれだけあるかを確認することができる。一方、第３表示態様では、項目配列軸Ｘと直交する列方向に情報表示セル５１Ａが詰められるので、各作業がどれだけあるかを確認することができる。
【０１１３】
そして、これらそれぞれに特色のある第１〜第３表示態様が切り替え可能であるため、様々な利用目的に応じて、医療スタッフが望む表示態様のワークリスト５０を表示することが可能となる。
【０１１４】
さらに、第２表示態様および第３表示態様では、集約表示によって第１表示態様における元の位置からずらされた情報表示セル５１Ａに、元の位置の場合に該当する作業項目ＲＥまたは患者識別情報ＣＥが表示されるので、第２表示態様および第３表示態様においても、第１表示態様と同様に、その情報表示セル５１Ａがどの作業項目または患者識別情報に該当するかを知ることができる。
【０１１５】
なお、作業項目ＲＥまたは患者識別情報ＣＥを表示する場合は、項目欄５３または患者欄５２に元の作業項目または元の患者情報が表示されていると、かえって混乱を招く。そこで、作業項目ＲＥまたは患者識別情報ＣＥを表示する場合は、図１９に示すように項目欄５３の作業項目を非表示としたり、あるいは図２０にハッチングＨ２で示すように患者欄５２の患者情報をグレーアウト処理で目立たなくする等の対処を施すことが好ましい。
【０１１６】
トグル形式の表示態様切替ボタン５５によって、ワークリスト５０の表示態様を順次切り替えるので、ワークリスト５０の表示態様を簡単かつスムーズに切り替えることができ、作業情報の確認を効率的に進めることができる。
【０１１７】
なお、ワークリスト５０の表示態様の順次切り替えは、トグル形式の表示態様切替ボタン５５に拠らなくてもよい。例えば表示画面２１に、集約表示機能の有効化、無効化を切り替えるボタンを設けておく。そして、当該ボタンにより集約表示機能が有効化された場合は、マウスのホイールボタンの回転操作や、マウスを右クリックした状態で右側にドラッグするといったマウスジェスチャにより、ワークリスト５０の表示態様を第１表示態様と第２表示態様と第３表示態様の間で順次切り替える。マウスのホイールボタンの回転操作の場合は、例えばホイールボタンが同じ方向に半回転される毎にワークリスト５０の表示態様を切り替える。この場合はホイールボタンを同じ方向に半回転させる操作が同一の入力操作に相当する。マウスジェスチャの場合は、マウスジェスチャが実行される毎にワークリスト５０の表示態様を切り替える。この場合はマウスジェスチャが同一の入力操作に相当する。
【０１１８】
また、ワークリスト５０の表示態様の切り替えは、順次切り替えでなくともよい。例えば図１７に示す３つの指定状態の表示態様切替ボタン５５に相当する３つの表示態様切替ボタンを表示画面２１に設け、各表示態様切替ボタンがカーソル５７で選択されたことに応じて、ワークリスト５０の表示態様を切り替えてもよい。あるいは、患者欄５２のいずれかの患者情報が選択された場合を行方向指定と見なし、項目欄５３のいずれかの作業項目が選択された場合を列方向指定と見なしてもよい。すなわち、専用の表示態様切替ボタンを設けずに、患者欄５２の患者情報および項目欄５３の作業項目を表示態様切替ボタンとして機能させてもよい。
【０１１９】
未完と完了とを有する作業の進捗状況を作業情報に含め、情報表示セル５１Ａを未完セル５１Ａａと完了セル５１Ａｂの２種類とし、未完セル５１Ａａと完了セル５１Ａｂとでアイコン５４を区別して表示するので、各作業の進捗状況が一目で分かる。また、未完セル５１Ａａの個数によって未完の作業の数も一目で分かるため、医療スタッフは、自身が担当する作業のうち、未完の作業がどれだけあるかを把握することができる。
【０１２０】
[第２実施形態]
上記第１実施形態では、ワークリスト５０の複数の行または列の全てについて集約表示を行っているが、図２１〜図２４に示す第２実施形態では、ワークリスト５０の複数の行のうちの１つの行、またはワークリスト５０の複数の列のうちの１つの列に対して集約表示を行う。
【０１２１】
本実施形態では、患者欄５２の各患者情報および項目欄５３の各作業項目をカーソル５７で選択することが可能である。患者情報の選択は、ワークリスト５０の複数の行のうちの１つの行の指定、作業項目の選択は、ワークリスト５０の複数の列のうちの１つの列の指定にそれぞれ相当する。また、本実施形態では、表示画面２１に、集約表示機能の有効化、無効化を切り替えるボタンが設けられている。
【０１２２】
集約表示機能が有効化されて患者情報が選択された場合、ブラウザ制御部３６は、選択された患者情報の行（以下、指定行）の中の情報表示セル５１Ａを、行方向に詰める旨の編集要求を発行する。つまり、患者情報が選択された場合の編集要求には、行の指定に加えて行方向の指定も含まれる。この編集要求は要求受付部４１で受け付けられ、画面表示制御部４３に出力される。画面表示制御部４３は、ワークリスト５０の表示態様を第２表示態様とする。
【０１２３】
一方、集約表示機能が有効化されて作業項目が選択された場合、ブラウザ制御部３６は、選択された作業項目の列（以下、指定列）の中の情報表示セル５１Ａを、列方向に詰める旨の編集要求を発行する。つまり、作業項目が選択された場合の編集要求には、列の指定に加えて列方向の指定も含まれる。この編集要求は要求受付部４１で受け付けられ、画面表示制御部４３に出力される。画面表示制御部４３は、ワークリスト５０の表示態様を第３表示態様とする。
【０１２４】
図２１において、図１１等と同じく、上段は第１表示態様のワークリスト５０、下段は第２表示態様のワークリスト５０をそれぞれ示している。第２表示態様のワークリスト５０は、ハッチングＨ３で示すように、患者情報Ａが指定行として選択された場合を例示している。第２表示態様では、指定行の中の空欄セル５１Ｂが削除され、指定行の中の情報表示セル５１Ａが行方向に詰められて集約表示される。例えば、第1表示態様で作業項目ｉ、患者情報Ａの位置にある空欄セル５１Ｂ１が削除され、第１表示態様で作業項目ｊ、患者情報Ａの位置にある情報表示セル５１Ａ５は、第２表示態様では第１表示態様における作業項目ｆの位置に詰められる。
【０１２５】
また、図２２に実線の太枠および符号ＢＬＣで示すように、指定行の中の空欄セル５１Ｂが存在する列については、情報表示セル５１Ａの有無に関わらず列全体が削除される。例えば作業項目ｃの列には、患者情報Ｂ、Ｄ、Ｅ、Ｆ、Ｈの位置に情報表示セル５１Ａがあるが、指定行である患者情報Ａの位置は空欄セル５１Ｂであるため、作業項目ｃの列は削除される。また、作業項目ｋの列は患者情報Ｂ、Ｅ、Ｇの位置に情報表示セル５１Ａがあり、かつ最終列であるが、患者情報Ａの位置は空欄セル５１Ｂであるため、作業項目ｋの列は削除される。このため図２１に示す第２表示態様では、指定行の中の情報表示セル５１Ａが存在する列の作業項目のみが項目欄５３に表示される。なお、指定行の中の空欄セル５１Ｂが存在する列は、具体的には作業項目ｃ、ｄ、ｇ、ｉ、ｋの列であり、指定行の中の情報表示セル５１Ａが存在する列は、具体的には作業項目ａ、ｂ、ｅ、ｆ、ｈ、ｊの列である。
【０１２６】
一方、図２３は、下段に第３表示態様のワークリスト５０を示す。第３表示態様のワークリスト５０は、ハッチングＨ４で示すように、作業項目ｄが指定列として選択された場合を例示している。第３表示態様では、指定列の中の空欄セル５１Ｂが削除され、指定列の中の情報表示セル５１Ａが列方向に詰められて集約表示される。例えば、第1表示態様で作業項目ｄ、患者情報Ｂの位置にある空欄セル５１Ｂ２が削除され、第１表示態様で作業項目ｄ、患者情報Ｆの位置にある情報表示セル５１Ａ６は、第２表示態様では第１表示態様における患者情報Ｃの位置に詰められる。
【０１２７】
また、図２４に実線の太枠および符号ＢＬＲで示すように、指定列の中の空欄セル５１Ｂが存在する行については、情報表示セル５１Ａの有無に関わらず行全体が削除される。例えば患者情報Ａの行には、作業項目ａ、ｂ、ｅ、ｆ、ｈ、ｊの位置に情報表示セル５１Ａがあるが、指定列である作業項目ｄの位置は空欄セル５１Ｂであるため、患者情報Ａの行は削除される。このため図２３に示す第３表示態様では、指定列の中の情報表示セル５１Ａが存在する行の患者情報のみが患者欄５２に表示される。なお、指定列の中の空欄セル５１Ｂが存在する行は、具体的には患者情報Ａ、Ｂ、Ｅの行であり、指定列の中の情報表示セル５１Ａが存在する行は、具体的には患者情報Ｃ、Ｄ、Ｆ、Ｇ、Ｈの行である。
【０１２８】
このように、指定行または指定列に対して集約表示を行うので、指定行または指定列の一覧性が向上する。これにより、個々の患者に主眼を置いて作業情報を確認したり、個々の作業項目に主眼を置いて作業情報を確認することができる。より具体的には、診察時に診察対象の患者の患者情報を選択してワークリスト５０の表示態様を第２表示態様とし、診察対象の患者に対する作業の作業情報や作業数を確認したり、医療施設の始業時や終業時に、医療スタッフが自身の担当する作業の作業項目を選択してワークリスト５０の表示態様を第３表示態様とし、自身の担当する作業の作業情報や作業数を確認することができる。
【０１２９】
また、第２表示態様では指定列の中の空欄セル５１Ｂが存在する行全体が削除され、第３表示態様では指定行の中の空欄セル５１Ｂが存在する列全体が削除されるので、ワークリスト５０の行または列が減ってワークリスト５０をコンパクトにまとめることができ、表示部分ＤＳをより有効活用することができる。
【０１３０】
さらに、第２表示態様では指定行の中の情報表示セル５１Ａが存在する列の位置自体は行方向にずらされるが、列毎ずらされるので、項目欄５３に表示される作業項目は第１表示態様から変化しない。このため、第２表示態様においても、情報表示セル５１Ａの位置によって、その情報表示セル５１Ａがどの作業項目に該当するかを知ることができる。したがって、本実施形態では、上記第１実施形態の元の位置の場合に該当する作業項目ＲＥを表示する必要がない。第３表示態様についても同様のことが言え、情報表示セル５１Ａの位置によって、その情報表示セル５１Ａがどの患者情報に該当するかを知ることができ、上記第１実施形態の元の位置の場合に該当する患者識別情報ＣＥを表示する必要がない。
【０１３１】
[第３実施形態]
図２５〜図２８に示す第３実施形態では、上記第２実施形態と同じく、指定行または指定列に対して集約表示を行うが、集約表示の仕方が上記第２実施形態と異なる。
【０１３２】
図２５において、図１１等と同じく、上段は第１表示態様のワークリスト５０、下段は第２表示態様のワークリスト５０をそれぞれ示している。第２表示態様のワークリスト５０は、上記第２実施形態の図２１と同じく、ハッチングＨ３で示すように、患者情報Ａが指定行として選択された場合を例示している。本実施形態においても上記第２実施形態と同じく、第２表示態様では、指定行の中の空欄セル５１Ｂが削除され、指定行の中の情報表示セル５１Ａが行方向に詰められて集約表示される。
【０１３３】
また、第２表示態様では、上記第１実施形態と同じく、集約表示によって第１表示態様における元の位置からずらされた情報表示セル５１Ａに、元の位置の場合に該当する作業項目ＲＥが表示される。
【０１３４】
ただし、本実施形態では、指定行以外の他の行については、集約表示を行わない。また、ハッチングＨ５で示すように、表示部分ＤＳの指定行以外の集約表示を行わない他の行に対して、例えば灰色の網掛けパターンで覆うグレーアウト処理を施すことで、集約表示を行う指定行を強調表示する。
【０１３５】
図２６の上段および中段に示すように、画面表示制御部４３は、集約表示機能により、指定行である患者情報Ａの行の空欄セル５１Ｂの削除と情報表示セル５１Ａの左側へのずらしとを行うことで、行方向に患者情報Ａの行の情報表示セル５１Ａを詰めていき、最終的には情報表示セル５１Ａを左側（患者欄５２の側）に集約して第２表示態様とする。そして、下段に示すように、患者情報Ａの行以外の他の行に対してグレーアウト処理を施す。
【０１３６】
一方、図２７は、下段に第３表示態様のワークリスト５０を示す。第３表示態様のワークリスト５０は、上記第２実施形態の図２３と同じく、ハッチングＨ４で示すように、作業項目ｄが指定列として選択された場合を例示している。本実施形態においても上記第２実施形態と同じく、第３表示態様では、指定列の中の空欄セル５１Ｂが削除され、指定列の中の情報表示セル５１Ａが列方向に詰められて集約表示される。
【０１３７】
また、第３表示態様では、上記第１実施形態と同じく、集約表示によって第１表示態様における元の位置からずらされた情報表示セル５１Ａに、元の位置の場合に該当する患者識別情報ＣＥが表示される。
【０１３８】
ただし、本実施形態では、指定列以外の他の列については、集約表示を行わない。また、第２表示態様と同じく、ハッチングＨ５で示すように、表示部分ＤＳの指定列以外の他の列に対してグレーアウト処理を施すことで、指定列を強調表示する。
【０１３９】
図２８の左側および中央に示すように、画面表示制御部４３は、集約表示機能により、指定列である作業項目ｄの列の空欄セル５１Ｂの削除と情報表示セル５１Ａの上側へのずらしとを行うことで、列方向に作業項目ｄの列の情報表示セル５１Ａを詰めていき、最終的には情報表示セル５１Ａを上側（項目欄５３の側）に集約して第３表示態様とする。そして、右側に示すように、作業項目ｄの列以外の他の列に対してグレーアウト処理を施す。
【０１４０】
本実施形態においても、上記第２実施形態と同じく、指定行または指定列の一覧性が向上し、個々の患者に主眼を置いて作業情報を確認したり、個々の作業項目に主眼を置いて作業情報を確認することができるという効果がある。
【０１４１】
また、指定行以外の他の行、または指定列以外の他の列に集約表示を行わないので、指定行以外の他の行、または指定列以外の他の列は表示態様が変化しない。このため指定行または指定列を除いて、表示態様の切り替え前後でセル５１の位置が変化しない。したがって、表示態様の切り替え前後でセル５１の位置が変化する上記各実施形態と比べて、医療スタッフに煩雑な印象を与えない。
【０１４２】
さらに、指定行または指定列を強調表示するので、指定行または指定列に医療スタッフの注意を引き付けることができる。
【０１４３】
なお、指定行または指定列の強調表示の方法としては、指定行以外の他の行、または指定列以外の他の列のアウトラインを細線、指定行または指定列のアウトラインを太線にする、あるいは、指定行または指定列の背景色を例えば赤色、他の行または他の列の背景色を灰色にする、指定行または指定列を点滅表示する等々、他の方法を採用してもよい。
【０１４４】
[第４実施形態]
上記各実施形態では、情報表示セル５１Ａを左側または上側に詰めているが、図２９〜図３２に示す第４実施形態では、１つの情報表示セル５１Ａを中心にして、他の情報表示セル５１Ａを左右または上下に詰める。このため本実施形態では、情報表示セル５１Ａをカーソル５７で選択することが可能である。情報表示セル５１Ａの選択は、複数のセル５１のうちの１つのセル５１の指定に相当する。また、本実施形態では、表示画面２１に、集約表示機能の有効化、無効化を切り替えるボタンが設けられている。
【０１４５】
この場合、行方向または列方向の指定は、例えば表示画面２１に行方向指定ボタンと列方向指定ボタンが設けられる等して、情報表示セル５１Ａの選択とは別に行われる。あるいは、上記第２、第３実施形態のように、患者欄５２の各患者情報および項目欄５３の各作業項目をカーソル５７で選択可能とし、患者情報が選択された場合は行方向が指定されたと見なし、作業項目が選択された場合は列方向が指定されたと見なしてもよい。
【０１４６】
集約表示機能が有効化されて情報表示セル５１Ａが選択された場合、ブラウザ制御部３６は、選択された情報表示セル５１Ａ（以下、指定セル）を中心にして、行方向または列方向のうち指定された方向に情報表示セル５１Ａを詰める旨の編集要求を発行する。この編集要求は要求受付部４１で受け付けられ、画面表示制御部４３に出力される。画面表示制御部４３は、ワークリスト５０の表示態様を第２表示態様または第３表示態様とする。
【０１４７】
図２９において、図１１等と同じく、上段は第１表示態様のワークリスト５０、下段は第２表示態様のワークリスト５０をそれぞれ示している。第２表示態様のワークリスト５０は、行方向が指定され、かつハッチングＨ６で示すように、患者情報Ａ、作業項目ｅに該当する情報表示セル５１Ａが指定セルとして選択された場合を例示している。第２表示態様では、指定セルが存在する行（患者情報Ａの行）の中の空欄セル５１Ｂが削除され、指定セルが存在する行の情報表示セル５１Ａが、指定セルを中心にして行方向に詰められて集約表示される。
【０１４８】
また、第２表示態様では、上記第１、第３実施形態と同じく、集約表示によって第１表示態様における元の位置からずらされた情報表示セル５１Ａに、元の位置の場合に該当する作業項目ＲＥが表示される。
【０１４９】
さらに、上記第３実施形態と同じく、指定セルが存在する行以外の他の行には集約表示は行われず、ハッチングＨ５で示すように指定セルが存在する行以外の他の行にはグレーアウト処理が施される。
【０１５０】
図３０の上段に示すように、画面表示制御部４３は、集約表示機能により、指定セルが存在する行である患者情報Ａの行の中の空欄セル５１Ｂのうち、指定セルと他の情報表示セル５１Ａとの間にある空欄セル５１Ｂを削除する。そして、中段に示すように、患者情報Ａの行の中の情報表示セル５１Ａを全て指定セルの側にずらす。例えば上段で作業項目ａ、ｂの位置にあった情報表示セル５１Ａ７、５１Ａ８を、指定セルの側である右側の作業項目ｃ、ｄの位置にそれぞれずらす。
【０１５１】
画面表示制御部４３は、こうした空欄セル５１Ｂの削除と情報表示セル５１Ａの指定セルの側へのずらしとを行うことで、行方向に情報表示セル５１Ａを詰めていき、最終的には中段に示すように、指定セルを中心にして情報表示セル５１Ａを集約して第２表示態様とする。そして、下段に示すように、患者情報Ａの行以外の他の行に対してグレーアウト処理を施す。
【０１５２】
一方、図３１は、下段に第３表示態様のワークリスト５０を示す。第３表示態様のワークリスト５０は、列方向指定がされ、かつハッチングＨ７で示すように、患者情報Ｄ、作業項目ｄの位置の情報表示セル５１Ａが指定セルとして選択された場合を例示している。第３表示態様では、指定セルが存在する列（作業項目ｄの列）の中の空欄セル５１Ｂが削除され、指定セルが存在する列の情報表示セル５１Ａが、指定セルを中心にして列方向に詰められて集約表示される。
【０１５３】
また、第３表示態様では、上記第１、第３実施形態と同じく、集約表示によって第１表示態様における元の位置からずらされた情報表示セル５１Ａに、元の位置の場合に該当する患者識別情報ＣＥが表示される。
【０１５４】
さらに、上記第３実施形態と同じく、指定セルが存在する列以外の他の列には集約表示は行われず、ハッチングＨ５で示すように指定セルが存在する列以外の他の列にはグレーアウト処理が施される。
【０１５５】
図３２の左側に示すように、画面表示制御部４３は、集約表示機能により、指定セルが存在する列である作業項目ｄの列の中の空欄セル５１Ｂのうち、指定セルと他の情報表示セル５１Ａとの間にある空欄セル５１Ｂを削除する。そして、中央に示すように、作業項目ｄの列の中の情報表示セル５１Ａを全て指定セルの側にずらす。例えば左側で患者情報Ｆ、Ｇ、Ｈの位置にあった情報表示セル５１Ａ９、５１Ａ１０、５１Ａ１１を、指定セルの側である上側の患者情報Ｅ、Ｆ、Ｇの位置にそれぞれずらす。
【０１５６】
画面表示制御部４３は、こうした空欄セル５１Ｂの削除と情報表示セル５１Ａの指定セルの側へのずらしとを行うことで、列方向に情報表示セル５１Ａを詰めていき、最終的には中段に示すように、指定セルを中心にして情報表示セル５１Ａを集約して第３表示態様とする。そして、右側に示すように、作業項目ｄの列以外の他の列に対してグレーアウト処理を施す。
【０１５７】
このように、指定セルを中心にして他の情報表示セル５１Ａを集約表示するので、指定セルを基準に他の情報表示セル５１Ａの作業情報を確認することができる。また、表示態様が切り替わっても指定セルの位置は変わらないので、医療スタッフの視線移動がより少なくて済む。
【０１５８】
なお、指定セルが存在する行以外の他の行、または指定セルが存在する列以外の他の列についても、指定セルが存在する列、または指定セルが存在する行を中心にして情報表示セル５１Ａを詰める集約表示を行ってもよい。
【０１５９】
[第５実施形態]
上記第１〜第４実施形態は、複合して実施してもよい。図３３および図３４に示す第５実施形態では、一例として上記第１実施形態と上記第３実施形態を複合して実施する。
【０１６０】
この場合、表示画面２１には行方向指定ボタンと列方向指定ボタンが設けられ、また、患者欄５２の各患者情報および項目欄５３の各作業項目をカーソル５７で選択することが可能である。
【０１６１】
表示態様切替機能は、ワークリスト５０の表示態様を、ワークリスト５０の複数の行の全てについて集約表示を行う、上記第１実施形態の第２表示態様と、指定行の中の空欄セル５１Ｂを削除して、指定行の中の情報表示セル５１Ａを行方向に詰めて集約表示し、かつ指定行以外の他の行については集約表示を行わない、上記第３実施形態の第２表示態様のいずれかに切り替える機能を含む。
【０１６２】
また、表示態様切替機能は、ワークリスト５０の表示態様を、ワークリスト５０の複数の列の全てについて集約表示を行う、上記第１実施形態の第３表示態様と、指定列の中の空欄セル５１Ｂを削除して、指定列の中の情報表示セル５１Ａを列方向に詰めて集約表示し、かつ指定列以外の他の列については集約表示を行わない、上記第３実施形態の第３表示態様のいずれかに切り替える機能を含む。
【０１６３】
より具体的には図３３に示すように、ワークリスト５０の表示態様が第１表示態様の場合に行方向指定ボタンが選択された場合、表示態様切替機能は、ワークリスト５０の表示態様を、上記第１実施形態の第２表示態様に切り替える。一方、ワークリスト５０の表示態様が第１表示態様の場合に患者情報が選択された場合、表示態様切替機能は、ワークリスト５０の表示態様を、上記第３実施形態の第２表示態様に切り替える。
【０１６４】
また、図３４に示すように、ワークリスト５０の表示態様が第１表示態様の場合に列方向指定ボタンが選択された場合、表示態様切替機能は、ワークリスト５０の表示態様を、上記第１実施形態の第３表示態様に切り替える。一方、ワークリスト５０の表示態様が第１表示態様の場合に、作業項目が選択された場合、表示態様切替機能は、ワークリスト５０の表示態様を、上記第３実施形態の第３表示態様に切り替える。
【０１６５】
例えば医療施設の始業時や終業時に、残作業がどの程度あるかといった作業の実施状況を全般的に俯瞰することを主眼に作業情報を確認する目的の場合は、医療スタッフは行方向指定ボタンまたは列方向指定ボタンを選択して、ワークリスト５０の表示態様を上記第１実施形態の第２表示態様または第３表示態様とする。
【０１６６】
一方、患者の診察時といった個々の患者に主眼を置いて作業情報を確認する目的の場合は、医療スタッフは患者情報を選択して、ワークリスト５０の表示態様を上記第３実施形態の第２表示態様とする。また、医療スタッフが自身の担当する作業を把握することを主眼として作業情報を確認する目的の場合は、医療スタッフは作業項目を選択して、ワークリスト５０の表示態様を上記第３実施形態の第３表示態様とする。
【０１６７】
このように、上記第１実施形態と上記第３実施形態を複合して実施し、ワークリスト５０の表示態様を、上記第１実施形態の第２表示態様と上記第３実施形態の第２表示態様、または上記第１実施形態の第３表示態様と上記第３実施形態の第３表示態様とに切り替え可能とするので、作業情報を確認する様々な目的に適応した表示態様のワークリスト５０を医療スタッフの閲覧に供することができる。
【０１６８】
なお、患者欄５２のいずれかの患者情報が選択された場合を行方向指定と見なして、ワークリスト５０の表示態様を上記第１実施形態の第２表示態様とし、項目欄５３のいずれかの作業項目が選択された場合を列方向指定と見なして、ワークリスト５０の表示態様を上記第１実施形態の第３表示態様としてもよい。また、方向指定がされたうえで情報表示セル５１Ａが選択された場合に、選択された情報表示セル５１Ａが属する行または列を指定行または指定列として、ワークリスト５０の表示態様を上記第３実施形態の第２表示態様または第３表示態様としてもよい。
【０１６９】
[第６実施形態]
第２表示態様または第３表示態様では、情報表示セル５１Ａが行方向または列方向に詰められて集約表示されるが、情報表示セル５１Ａの個数によっては、集約表示した状態で情報表示セル５１Ａが表示部分ＤＳに一度に収まりきらない場合がある。この場合はせっかく情報表示セル５１Ａを集約表示したにも関わらず、各スクロールバー５６Ａ、５６Ｂを操作しなければ、全ての情報表示セル５１Ａの作業情報を確認することができない。そこで図３５に示す第６実施形態では、第２表示態様または第３表示態様において、集約表示した情報表示セル５１Ａが表示部分ＤＳに一度に収まりきらない場合、情報表示セル５１Ａを折り返して表示する。
【０１７０】
図３５は、第２表示態様における患者情報Ａの行の情報表示セル５１Ａの折り返し表示の様子を示している。上段に示すように、表示部分ＤＳに一度に収まりきらない情報表示セル５１Ａは、作業項目ｈ、ｊの位置にある情報表示セル５１Ａ１２、５１Ａ１３である。この場合、画面表示制御部４３は、下段に示すように、患者欄５２の患者情報Ａの行を列方向に１つ増設する。そして、増設した行に情報表示セル５１Ａ１２、５１Ａ１３を移動させることで、情報表示セル５１Ａ１２、５１Ａ１３を折り返して表示する。
【０１７１】
なお、図示は省略するが、第３表示態様において集約表示した情報表示セル５１Ａが表示部分ＤＳに一度に収まりきらない場合も同様に、作業項目の列を増設して、増設した列に、表示部分ＤＳに一度に収まりきらない情報表示セル５１Ａを折り返して表示する。
【０１７２】
こうすれば、表示部分ＤＳに表示されない情報表示セル５１Ａが少なくなるので、ワークリスト５０の一覧性がさらに向上し、各スクロールバー５６Ａ、５６Ｂを操作することなく、多くの作業情報を確認することができる。
【０１７３】
ただし、上記第１実施形態の場合は、全ての行または全ての列に対して集約表示が行われるので、情報表示セル５１Ａを折り返して表示すると患者欄５２または項目欄５３が列方向または行方向に間延びし、かえって表示部分ＤＳに一度に収まりきらない情報表示セル５１Ａが増えるおそれがある。このため本実施形態は、指定行または指定列のみに集約表示を行う上記第２、第３実施形態と複合して実施することが好ましい。
【０１７４】
[第７実施形態]
上記第４実施形態では、情報表示セル５１Ａをカーソル５７で選択可能とし、指定セルを中心にして他の情報表示セル５１Ａを詰めているが、図３６に示す第７実施形態では、情報表示セル５１Ａに加えて空欄セル５１Ｂも指定セルとして選択可能とする。さらに指定セルが空欄セル５１Ｂまたは情報表示セル５１Ａのうちの未完セル５１Ａａであった場合、患者配列軸が配された方向に情報表示セル５１Ａを詰め、指定セルが情報表示セル５１Ａのうちの完了セル５１Ａｂであった場合、作業の詳細を表示する。
【０１７５】
図３６において、ワークリスト５０の表示態様が第１表示態様の場合に、空欄セル５１Ｂまたは未完セル５１Ａａが選択された場合、画面表示制御部４３は、患者配列軸が配された方向、すなわち列方向に情報表示セル５１Ａを詰め、ワークリスト５０の表示態様を第３表示態様とする。つまり、空欄セル５１Ｂまたは未完セル５１Ａａの選択が、列方向の指定の役割を果たす。
【０１７６】
一方、ワークリスト５０の表示態様が第１表示態様の場合に、完了セル５１Ａｂが選択された場合、画面表示制御部４３は、選択された完了セル５１Ａｂに該当する作業の詳細を表示する詳細表示画面６０を生成する。詳細表示画面６０は、例えば表示画面２１上にポップアップ表示される。なお、図３６では、尿検査の各検査項目の検査値を作業の詳細として表示した詳細表示画面６０を例示している。
【０１７７】
このように、指定セルが空欄セル５１Ｂまたは未完セル５１Ａａであった場合は患者配列軸が配された方向に情報表示セル５１Ａを詰め、指定セルが完了セル５１Ａｂであった場合は作業の詳細を表示するので、各作業の作業情報や作業数を気軽に確認することができ、かつ進捗状況が完了の作業については、簡単に作業の詳細を確認することができる。
【０１７８】
［第８実施形態］
上記第７実施形態では、指定セルが完了セル５１Ａｂであった場合に作業の詳細を表示しているが、図３７に示す第８実施形態では、指定セルが完了セル５１Ａｂであった場合、項目配列軸が配された方向に情報表示セル５１Ａを詰める。
【０１７９】
図３７において、ワークリスト５０の表示態様が第１表示態様の場合に、完了セル５１Ａｂが選択された場合、画面表示制御部４３は、項目配列軸が配された方向、すなわち行方向に情報表示セル５１Ａを詰め、ワークリスト５０の表示態様を第２表示態様とする。つまり、完了セル５１Ａｂの選択が、行方向の指定の役割を果たす。
【０１８０】
ワークリスト５０の表示態様が第１表示態様の場合に、空欄セル５１Ｂまたは未完セル５１Ａａが選択された場合は、上記第７実施形態と同じく、ワークリスト５０の表示態様を第３表示態様とする。
【０１８１】
このように、指定セルが空欄セル５１Ｂまたは未完セル５１Ａａであった場合は患者配列軸が配された方向に情報表示セル５１Ａを詰め、指定セルが完了セル５１Ａｂであった場合は項目配列軸が配された方向に情報表示セル５１Ａを詰めるので、各作業および各患者の作業情報や作業数を気軽に確認することができる。
【０１８２】
なお、図３６および図３７では上記第１実施形態の第２表示態様および第３表示態様を例示しているが、選択された空欄セル５１Ｂまたは未完セル５１Ａａが存在する行または列を指定行または指定列とし、上記第２、第３実施形態の第２表示態様および第３表示態様としてもよい。
【０１８３】
上記第７実施形態と本実施形態を複合して実施してもよい。この場合は例えば表示画面２１に、集約表示機能の有効化、無効化を切り替えるボタンを設けておく。そして、集約表示機能が無効化されて完了セル５１Ａｂが選択された場合は作業の詳細を表示し、集約表示機能が有効化されて完了セル５１Ａｂが選択された場合は項目配列軸が配された方向に情報表示セル５１Ａを詰める。
【０１８４】
［第９実施形態］
上記各実施形態では、空欄セル５１Ｂを削除して情報表示セル５１Ａを集約表示しているが、図３８に示す第９実施形態では、空欄セル５１Ｂに加えて完了セル５１Ａｂも削除し、未完セル５１Ａａのみを集約表示する。
【０１８５】
より詳しくは図３８の左側に示すように、画面表示制御部４３は、集約表示機能により、空欄セル５１Ｂおよび完了セル５１Ａｂを削除する。そして、空欄セル５１Ｂおよび完了セル５１Ａｂを削除した位置に未完セル５１Ａａをずらしていき、最終的には右側に示すように、未完セル５１Ａａを上側（項目欄５３の側）に集約して第３表示態様とする。こうすることで、ワークリスト５０には未完セル５１Ａａのみが集約表示されるので、残作業がどの程度あるかをより簡単に確認することができる。
【０１８６】
なお、図３８では、情報表示セル５１Ａを列方向に詰める第３表示態様の場合を例示しているが、第２表示態様の場合についても同様に空欄セル５１Ｂおよび完了セル５１Ａｂを削除してもよい。
【０１８７】
また、項目配列軸が配された方向に情報表示セル５１Ａを詰める指定がされた場合は空欄セル５１Ｂのみを削除し、患者配列軸が配された方向に情報表示セル５１Ａを詰める指定がされた場合は空欄セル５１Ｂおよび完了セル５１Ａｂを削除してもよい。こうすれば、医療スタッフは、項目配列軸が配された方向に情報表示セル５１Ａを詰める指定をする場合は、完了セル５１Ａｂも含めて各患者の作業情報を全般的に確認したいという意図があり、患者配列軸が配された方向に情報表示セル５１Ａを詰める指定をする場合は、残作業がどの程度あるかを確認したいという意図があるため、医療スタッフの意図を汲んだ表示態様のワークリスト５０を提供することができる。
【０１８８】
［第１０実施形態］
患者欄５２には、例えば診察の予約順または受け付け順に付された項番にしたがって患者情報が並べられるが、医療検査の実施順は、各患者の診察に掛かる時間やオーダの発行タイミング等によって前後することがあるため、必ずしも項番と一致するとは限らない。このため、医療検査の作業項目に該当する情報表示セル５１Ａも、実施順に並べられていない場合がある。そこで図３９に示す第１０実施形態では、患者配列軸が配された方向に情報表示セル５１Ａを詰める場合に、作業の実施順に情報表示セル５１Ａをソートする。
【０１８９】
作業の実施順は、各患者の電子カルテ１８のオーダの診療データに基づいて、例えば病院情報システム（ＨＩＳ；Hospital Information System）や放射線情報システム（ＲＩＳ；Radiology Information System）等で管理されている。作業情報管理部４５は、これらＨＩＳやＲＩＳから作業の実施順のデータを取得し、作業情報テーブル２２の各作業情報に作業の実施順を転記する。
【０１９０】
図３９の左側は、患者配列軸が配された方向、すなわち列方向に作業項目ｄの情報表示セル５１Ａを詰め、ワークリスト５０の表示態様を第３表示態様とした場合を示している。このとき、作業項目ｄの作業の実施順が上側の情報表示セル５１Ａから順に１、３、２、５、４となっていた場合、画面表示制御部４３は、実施順３の情報表示セル５１Ａと実施順２の情報表示セル５１Ａ、および実施順５の情報表示セル５１Ａと実施順４の情報表示セル５１Ａの位置を入れ替え、右側に示すように情報表示セル５１Ａの表示順を実施順と一致させる。各情報表示セル５１Ａには、元の位置の場合に該当する患者識別情報ＣＥが表示される。なお、作業の実施順を示す数字は、説明の便宜上付けたものであるが、実際にアイコン５４に表示されてもよい。
【０１９１】
このように、作業の実施順に情報表示セル５１Ａをソートするので、医療スタッフは簡単に作業の実施順を確認することができる。患者の診察時にこれを行えば、診察対象の患者に対してオーダを発行した医療検査の実施順が何番目かを患者に直接伝えることができる。
【０１９２】
なお、本実施形態と、指定セルを中心にして列方向に情報表示セル５１Ａを詰める第４実施形態の第３表示態様を複合して実施する場合は、指定セルを強調表示することが好ましい。こうすれば、指定セルに該当する患者に対する作業の実施順が一目で分かる。
【０１９３】
また、情報表示セル５１Ａの位置を、例えばドラッグアンドドロップ操作で入れ替え可能とし、ソート後に情報表示セル５１Ａの位置が入れ替えられた場合、これに応じて作業の実施順を入れ替えてもよい。より具体的には、ソート後に情報表示セル５１Ａの位置が入れ替えられた場合、作業情報管理部４５からＨＩＳやＲＩＳに作業の実施順を入れ替える旨の通知を送信し、ＨＩＳやＲＩＳではこの通知に応じて作業の実施順を入れ替える。こうすれば、急患の患者の医療検査の実施順を一番早い順番に入れ替える等、臨機応変な対応が可能となる。
【０１９４】
さらに、例えば医療検査の作業項目に該当する空欄セル５１Ｂがカーソル５７で選択された場合に、当該医療検査のオーダを発行するための画面を表示する等、表示画面２１を通じて医療検査のオーダを発行可能に構成してもよい。こうすれば、オーダの発行を簡単に済ませることができる。
【０１９５】
さらにまた、表示画面２１を通じて作業を担当する医療スタッフや部屋といった作業情報の変更を受け付けてもよい。この場合は作業情報の変更に応じて、作業情報テーブル２２や電子カルテ１８の内容が変更される。
【０１９６】
上記各実施形態では、項目配列軸を行方向に、患者配列軸を列方向に配しているが、逆に患者配列軸を行方向に、項目配列軸を列方向に配してもよい。また、アイコン５４を配さず、情報表示セル５１Ａに直接作業情報を表示してもよい。
【０１９７】
本発明の診療支援装置に相当する診療支援サーバ１２を構成するコンピュータのハードウェア構成は種々の変形が可能である。例えば、診療支援サーバ１２を、処理能力や信頼性の向上を目的として、ハードウェアとして分離された複数台のサーバコンピュータで構成することも可能である。例えば、要求受付部４１および配信制御部４４の機能と、画面生成部４２および画面表示制御部４３の機能と、作業情報管理部４５の機能とを、３台のサーバコンピュータに分散して担わせる。この場合は３台のサーバコンピュータで診療支援装置を構成する。また、作業情報ＤＢ１２Ａは、作業情報管理部４５の機能を担うサーバコンピュータに設けられる。なお、作業情報ＤＢ１２Ａは、診療支援装置とは別に設けてもよい。
【０１９８】
また、上記第１実施形態では、診療支援サーバ１２で表示画面２１を生成し、診療支援サーバ１２からの表示画面２１の画面データに基づいて、クライアント端末１１側で表示画面２１を再現してディスプレイ２９Ａに表示する態様を例示したが、表示画面２１の生成の元となる診療データを診療支援サーバ１２からクライアント端末１１に送信し、クライアント端末１１側で表示画面２１を生成してもよい。この場合、画面生成部４２は、クライアント端末１１のＣＰＵ２７Ａに構築される。
【０１９９】
さらに、配信制御部４４を除く診療支援サーバ１２のＣＰＵ２７Ｂに構築した各機能部をクライアント端末１１のＣＰＵ２７Ａに構築し、クライアント端末１１を診療支援装置として稼働させてもよい。この場合、要求受付部４１は、配信要求および編集要求に代えて、ＧＵＩ制御部３５から配信指示および編集指示を受け付ける。また、画面生成部４２および画面表示制御部４３は、表示画面２１をＧＵＩ制御部３５に出力する。
【０２００】
このように、コンピュータのハードウェア構成は、処理能力、安全性、信頼性等の要求される性能に応じて適宜変更することができる。さらに、ハードウェアに限らず、診療支援プログラム４０等のアプリケーションプログラムについても、安全性や信頼性の確保を目的として、二重化したり、あるいは、複数のストレージデバイスに分散して格納することももちろん可能である。
【０２０１】
上記各実施形態では、診療支援サーバ１２を１つの医療施設内で利用する形態で説明したが、診療支援サーバ１２を複数の医療施設が利用可能な形態としてもよい。
【０２０２】
上記各実施形態では、診療支援サーバ１２は、１つの医療施設内に設置されるクライアント端末１１がＬＡＮ等のネットワーク１３を介して通信可能に接続され、クライアント端末１１からの配信要求等に応じた表示画面２１を提供する形態である。これを複数の医療施設で利用可能とするためには、診療支援サーバ１２を、例えば、インターネットや公衆通信網等のＷＡＮ（Wide Area Network）を介して、複数の医療施設に設置される各クライアント端末１１と通信可能に接続する。そして、複数の医療施設の各クライアント端末１１からの配信要求等を、ＷＡＮを介して診療支援サーバ１２で受け付けて、各クライアント端末１１に対して表示画面２１を提供する。なお、ＷＡＮを利用する場合には、情報セキュリティを考慮して、ＶＰＮ（Virtual Private Network）を構築したり、ＨＴＴＰＳ（Hypertext Transfer Protocol Secure)等のセキュリティレベルの高い通信プロトコルを使用することが好ましい。
【０２０３】
なお、この場合は電子カルテ１８、検査画像１９、および医用レポート２０は医療施設毎に管理される。また、この場合の診療支援サーバ１２の設置場所および運営主体は、例えば医療施設とは別の会社が運営するデータセンタでもよいし、複数の医療施設のうちの１つでもよい。
【０２０４】
本発明は、上述の種々の実施形態や種々の変形例を適宜組み合わせることも可能である。また、上記各実施形態に限らず、本発明の要旨を逸脱しない限り種々の構成を採用し得ることはもちろんである。さらに、本発明は、プログラムに加えて、プログラムを記憶する記憶媒体にも及ぶ。
【符号の説明】
【０２０５】
１０  診療支援システム
１１  クライアント端末
１２  診療支援サーバ（診療支援装置）
２１  表示画面
２２  作業情報テーブル
２７、２７Ａ、２７Ｂ  ＣＰＵ
４０  診療支援プログラム（診療支援装置の作動プログラム）
４１  要求受付部（受付部）
４２  画面生成部
４３  画面表示制御部
５０  ワークリスト
５１  セル
５１Ａ、５１Ａ１〜５１Ａ１３  情報表示セル
５１Ａａ  未完セル
５１Ａｂ  完了セル
５１Ｂ、５１Ｂ１、５１Ｂ２  空欄セル
５２  患者欄
５３  項目欄
５５  表示態様切替ボタン
６０  詳細表示画面
ＩＰ  患者識別情報
ＰＲ  進捗状況
Ｘ  項目配列軸
Ｙ  患者配列軸
ＤＳ  表示画面の表示部分
ＲＥ  元の位置の場合に該当する作業項目
ＣＥ  元の位置の場合に該当する患者識別情報
ＢＬＣ  指定行の中の空欄セルが存在する列
ＢＬＲ  指定列の中の空欄セルが存在する行
【図１】
0006420219.tif 000002
【図２】
0006420219.tif 000003
【図３】
0006420219.tif 000004
【図４】
0006420219.tif 000005
【図５】
0006420219.tif 000006
【図６】
0006420219.tif 000007
【図７】
0006420219.tif 000008
【図８】
0006420219.tif 000009
【図９】
0006420219.tif 000010
【図１０】
0006420219.tif 000011
【図１１】
0006420219.tif 000012
【図１２】
0006420219.tif 000013
【図１３】
0006420219.tif 000014
【図１４】
0006420219.tif 000015
【図１５】
0006420219.tif 000016
【図１６】
0006420219.tif 000017
【図１７】
0006420219.tif 000018
【図１８】
0006420219.tif 000019
【図１９】
0006420219.tif 000020
【図２０】
0006420219.tif 000021
【図２１】
0006420219.tif 000022
【図２２】
0006420219.tif 000023
【図２３】
0006420219.tif 000024
【図２４】
0006420219.tif 000025
【図２５】
0006420219.tif 000026
【図２６】
0006420219.tif 000027
【図２７】
0006420219.tif 000028
【図２８】
0006420219.tif 000029
【図２９】
0006420219.tif 000030
【図３０】
0006420219.tif 000031
【図３１】
0006420219.tif 000032
【図３２】
0006420219.tif 000033
【図３３】
0006420219.tif 000034
【図３４】
0006420219.tif 000035
【図３５】
0006420219.tif 000036
【図３６】
0006420219.tif 000037
【図３７】
0006420219.tif 000038
【図３８】
0006420219.tif 000039
【図３９】
0006420219.tif 000040